(57)【要約】【課題】特定演出の不実行と関連するリーチ演出について、遊技者の遊技に対する期待感を適切に維持させることができる遊技機を提供することである。【解決手段】擬似連示唆演出が失敗結果となってリーチ演出が実行されるスーパーリーチＨは、擬似連示唆演出が行なわれずに成功結果となってリーチ演出が実行されるスーパーリーチＦよりも、特定のリーチ演出の選択割合が低く設定されている。【選択図】図１０
2014140425.tif 000002
【特許請求の範囲】
【請求項１】
各々を識別可能な複数種類の識別情報の変動表示を実行し、表示結果を導出表示する変動表示部を備え、該変動表示部に特定表示結果が導出表示されたときに遊技者にとって有利な特定遊技状態に制御する遊技機であって、
前記特定遊技状態に制御するか否かを、前記識別情報の表示結果が導出表示される以前に決定する事前決定手段と、
前記事前決定手段の決定結果に従う前記識別情報の表示結果を導出表示する導出表示制御手段と、
前記識別情報の変動表示が開始されてから表示結果が導出表示されるまでに所定の識別情報を仮停止させた後に変動表示を再開させる特定演出を実行する特定演出実行手段と、
前記特定演出の実行を示唆する成功結果と前記特定演出の非実行かつリーチ演出の実行を示唆する失敗結果とのいずれかを示す示唆演出を実行する示唆演出実行手段とを備え、
前記特定演出実行手段は、前記事前決定手段が前記特定遊技状態にすると決定したときには前記特定遊技状態にしないと決定したときよりも、前記識別情報の変動表示における前記特定演出の繰返し実行回数が多くなるように前記特定演出を実行し、
前記特定演出の実行後に実行された前記示唆演出が失敗結果となってリーチ演出が実行される場合には、前記特定演出の実行後に前記示唆演出が実行されることなくリーチ演出が実行される場合と比較して、特定リーチ演出に発展する割合が低い、遊技機。
【発明の詳細な説明】
【技術分野】
【０００１】
本発明は、パチンコ遊技機等の遊技機に関し、特に、各々を識別可能な複数種類の識別情報の変動表示を実行し、表示結果を導出表示する変動表示部を備え、該変動表示部に特定表示結果が導出表示されたときに遊技者にとって有利な特定遊技状態に制御する遊技機に関する。
【背景技術】
【０００２】
この種の遊技機として一般的に知られているものとしては、各々を識別可能な複数種類の識別情報（図柄）の変動表示を実行し、表示結果を導出表示する変動表示部を備え、該変動表示部に特定表示結果（大当り表示結果）が導出表示されたときに遊技者にとって有利な特定遊技状態（大当り遊技状態）に制御するものがあった。
【０００３】
このような遊技機では、識別情報の変動表示が開始されてから表示結果が導出表示されるまでに所定の識別情報を仮停止させた後に変動表示を再開させる再変動表示を行なう特定演出としての擬似連演出が実行される場合がある。一般的に擬似連演出が行なわれるときは、行なわれないときと比べて、大当りとなる期待度が高い状態であるので、遊技者の大当りへの期待感が高まる。さらに、擬似連演出が行なわれるときにおいては、再変動表示の回数が多くなる程、大当りとなる期待度が高くなるようにする制御が行なわれるので、再変動表示の実行回数が多くなる程遊技者の期待感が高くなる。
【０００４】
また、このような遊技機としては、擬似連演出を実行するときに、再変動表示ごとに擬似連となるか否かを仮停止図柄により示す演出を行ない、その演出において、以後に擬似連の演出が実行される所定の識別情報（擬似連出目）が表示されるか、以後に擬似連が実行されずにリーチの演出が実行される特定の識別情報（リーチ図柄）が表示されるか、のいずれとなるかを示唆するものがあった（特許文献１）。このような特許文献１の遊技機では、擬似連の演出においてリーチ図柄を表示する場合に、擬似連の演出における２回目の仮停止時以降に表示することにより、遊技者の期待感が低下しすぎないようにする制御が行なわれる。
【先行技術文献】
【特許文献】
【０００５】
【特許文献１】特開２０１２−２１７６３０号公報（段落番号００９６）
【発明の概要】
【発明が解決しようとする課題】
【０００６】
しかし、前述した特許文献１のように、擬似連の演出としての特定演出に関連する演出として、特定演出が実行されるか否かを示唆する演出が行なわれた後、特定演出ではなくリーチ演出を実行する場合に、たとえば、そのリーチ演出が発展して特定のリーチ演出が実行されると、当該特定のリーチ演出については、遊技者に不利な演出としての印象を与える。これにより、特定のリーチ演出が特定演出とは関連なく実行されるときでも、当該特定のリーチ演出自体については、遊技者が持つ価値観（遊技者にとって有利な演出かどうかの価値観）が低下し、遊技者の遊技に対する期待感を低下させてしまうおそれがあった。
【０００７】
本発明は、かかる実情に鑑み考え出されたものであり、その目的は、特定演出の不実行と関連するリーチ演出について、遊技者の遊技に対する期待感を適切に維持させることができる遊技機を提供することである。
【課題を解決するための手段】
【０００８】
（１）  各々を識別可能な複数種類の識別情報（特別図柄、演出図柄）の変動表示を実行し、表示結果を導出表示する変動表示部（第１，第２特別図柄表示器８ａ，８ｂ、演出表示装置９）を備え、該変動表示部に特定表示結果（大当り表示結果）が導出表示されたときに遊技者にとって有利な特定遊技状態（大当り遊技状態）に制御する遊技機（パチンコ遊技機１）であって、
前記特定遊技状態に制御するか否かを、前記識別情報の表示結果が導出表示される以前に決定する事前決定手段（遊技制御用マイクロコンピュータ５６０、図９のＳ６０，Ｓ７１）と、
前記事前決定手段の決定結果に従う前記識別情報の表示結果を導出表示する導出表示制御手段（遊技制御用マイクロコンピュータ５６０、図１２のＳ３０１〜Ｓ３０４、演出制御用マイクロコンピュータ１００、図１８のＳ８００〜Ｓ８０３）と、
前記識別情報の変動表示が開始されてから表示結果が導出表示されるまでに所定の識別情報（擬似連出目）を仮停止させた後に変動表示を再開させる特定演出（擬似連再変動演出）を実行する特定演出実行手段（演出制御用マイクロコンピュータ１００、図９のＳ６０，Ｓ７１）と、
前記特定演出の実行を示唆する成功結果（擬似連出目）と前記特定演出の非実行かつリーチ演出の実行を示唆する失敗結果（リーチ目（リーチ図柄））とのいずれかを示す示唆演出（成功・失敗示唆演出）を実行する示唆演出実行手段（演出制御用マイクロコンピュータ１００、図１８のＳ８０１，Ｓ８０２、図１９のＳ５０７〜Ｓ５１１）とを備え、
前記特定演出実行手段は、前記事前決定手段が前記特定遊技状態にすると決定したときには前記特定遊技状態にしないと決定したときよりも、前記識別情報の変動表示における前記特定演出の繰返し実行回数が多くなるように前記特定演出を実行し（図１０に示す通常大当りおよび確変大当りのような大当りのときに選択されるスーパーリーチの方が、図９に示すはずれのときに選択されるスーパーリーチよりも、擬似連再変動演出の繰返し実行回数が多く選択される割合が高い）、
前記特定演出の実行後に実行された前記示唆演出が失敗結果となってリーチ演出が実行される場合（たとえば、図９および図１０のスーパーリーチＧ，Ｈ）には、前記特定演出の実行後に前記示唆演出が実行されることなくリーチ演出が実行される場合（たとえば、図９および図１０のスーパーリーチＥ，Ｆ）と比較して、特定リーチ演出に発展する割合が低い（たとえば、図９および図１０において、直前の擬似連示唆演出が失敗結果となって実行されるスーパーリーチＨは直前に擬似連示唆演出が行なわれずに実行されるスーパーリーチＦよりも選択割合が低く設定されている。）。
【０００９】
このような構成によれば、特定演出が繰返し実行されると遊技者にとって有利な状況であることが認識可能となり、そして、特定演出の実行後に実行された示唆演出が失敗結果となってリーチ演出が実行される場合には、特定演出の実行後に示唆演出が実行されることなくリーチ演出が実行される場合と比較して、リーチ演出が特定リーチ演出に発展する割合が低い。これにより、特定演出の不実行と関連するリーチ演出について、遊技者の遊技に対する期待感を適切に維持させることができる。
【００１０】
（２）  前記（１）の遊技機において、前記特定リーチ演出は、前記特定演出の実行回数が多いほど出現する割合の高いリーチ演出であり（図１０での特定リーチ演出を実行するスーパーリーチの選択割合は、スーパーリーチＬ（擬似連再変動演出３回繰返し）＞スーパーリーチＪ（擬似連再変動演出２回繰返し）＞スーパーリーチＨ，Ｆ（擬似連再変動演出１回））、
前記特定演出の実行後に実行された前記示唆演出が失敗結果となってリーチ演出が実行される場合には、前記特定リーチ演出よりも前記特定遊技状態となる割合の低い非特定リーチ演出となる割合が高い（たとえば、図１０で失敗結果となるときの非特定リーチ演出を実行するスーパーリーチの選択割合は、スーパーリーチＧ（非特定リーチ）＞スーパーリーチＨ（特定リーチ））。
【００１１】
このような構成によれば、特定演出の実行後に実行された示唆演出が失敗結果となってリーチ演出が実行される場合には、特定リーチ演出よりも特定遊技状態となる割合の低い非特定リーチ演出となる割合が高いので、特定リーチ演出程ではないが、特定遊技状態となる期待感を遊技者がある程度持てる演出が行なわれることにより、遊技者の特定遊技状態に対する期待感を適切に盛り上げることができる。
（３）  前記（１）または（２）の遊技機において、前記非特定リーチ演出は、前記特定リーチ演出と比較して、前記特定遊技状態にならないことを示す表示態様を一旦表示した後に当該表示態様を前記特定遊技状態になることを示す表示態様に変化させる演出が実行される割合が高い（非特定リーチ演出では、バトル演出において、一旦は味方のキャラクタが敗れ「敗北」の文字が表示された後に、敵のキャラクタを倒す復活演出が選択される割合が高い）。
【００１２】
このような構成によれば、非特定リーチ演出が、特定リーチ演出と比較して、特定遊技状態にならないことを示す表示態様を一旦表示した後に当該表示態様を特定遊技状態になることを示す表示態様に変化させる演出が実行される割合が高いので、一旦失いかけた特定遊技状態への期待感が取戻されたような感覚を遊技者に与えやすいため、遊技者の期待感を適切に維持することができる。
【００１３】
（４）  前記（１）〜（３）のいずれかの遊技機において、前記特定演出実行手段は、前記特定演出を特定回数以上（たとえば、３回以上）実行してリーチ演出に発展させる場合は、当該リーチ演出に発展させる前に前記示唆演出を実行しない（図９および図１０のスーパーリーチＫ，Ｌは、リーチ演出前に擬似連示唆演出が実行されない。）。
【００１４】
このような構成によれば、特定演出を特定回数以上実行してリーチ演出に発展させる場合は、当該リーチ演出に発展させる前に示唆演出が実行されないので、特定演出の実行回数が多くなったことにより特定遊技状態に大きな期待感を持った遊技者の期待感を損ねないようにすることができる。
【００１５】
（５）  前記（１）〜（４）のいずれかの遊技機において、前記示唆演出実行手段は、前記示唆演出において遊技者の操作に応じて前記成功結果および前記失敗結果のいずれかを示す（スティックコントローラ１２２を操作することに応じて、成功結果・失敗結果のいずれかを示すようにする）。
【００１６】
このような構成によれば、示唆演出において遊技者の操作に応じて成功結果および失敗結果のいずれかが示されるので、遊技者の行為が遊技に反映されたように感じさせることが可能となり、遊技者の遊技への参加意欲を高めて、遊技の興趣を向上させることができる。
【００１７】
（６）  前記（１）〜（５）のいずれかの遊技機において、前記事前決定手段を含み、遊技状態を制御する遊技制御手段（遊技制御用マイクロコンピュータ５６０）を備え、
前記遊技制御手段は、前記識別情報の変動開始時に変動パターンを特定するためのコマンド（演出制御コマンド）として、前記識別情報の変動開始からリーチ演出が実行されるまでの変動態様を示す第１コマンドとリーチ演出の種類を指示する第２コマンドとを前記示唆演出実行手段へ送信し（演出制御用マイクロコンピュータ１００へ送信）、
前記示唆演出実行手段は、前記第１コマンドの種類に応じて、前記示唆演出の実行の有無または種類を決定する（第１コマンドの種類に応じて、成功結果・失敗結果示唆演出の実行の有無および種類を決定する）。
【００１８】
このような構成によれば、識別情報の変動開始からリーチ演出が実行されるまでの変動態様を示す第１コマンドと、リーチ演出の種類を指示する第２コマンドとの２種類のコマンドを示唆演出実行手段へ送信することに基づいて、示唆演出およびリーチ演出の種類を指示することができるので、コマンドの種類を大量に増やすことなく、示唆演出およびリーチ演出を含む演出を実行することができる。
【図面の簡単な説明】
【００１９】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】大当り判定テーブルおよび大当り種別判定テーブルを示す説明図である。
【図６】演出制御コマンドの内容の一例を示す説明図である。
【図７】擬似連示唆演出の制御タイミングを示すタイミングチャートである。
【図８】擬似連示唆演出を示す演出表示装置の表示画面図である。
【図９】変動パターンを決定するために用いる変動パターンテーブルを表形式で示す図である。
【図１０】変動パターンを決定するために用いる変動パターンテーブルを表形式で示す図である。
【図１１】タイマ割込処理を示すフローチャートである。
【図１２】特別図柄プロセス処理を示すフローチャートである。
【図１３】始動口スイッチ通過処理を示すフローチャートである。
【図１４】特別図柄通常処理を示すフローチャートである。
【図１５】変動パターン設定処理を示すフローチャートである。
【図１６】演出制御メイン処理を示すフローチャートである。
【図１７】演出制御基板で用いる乱数を示す図である。
【図１８】演出制御プロセス処理を示すフローチャートである。
【図１９】演出図柄変動開始処理を示すフローチャートである。
【図２０】擬似連示唆演出決定用テーブルを示す説明図である。
【図２１】演出設定処理を示すフローチャートである。
【図２２】演出設定処理を示すフローチャートである。
【発明を実施するための形態】
【００２０】
以下、本発明の実施の形態を、図面を参照して説明する。なお、遊技機の一例としてパチンコ遊技機を示すが、本発明はパチンコ遊技機に限られず、コイン遊技機、スロットマシン等のその他の遊技機であってもよく、各々を識別可能な複数種類の識別情報の変動表示を実行し、表示結果を導出表示する変動表示部を備え、該変動表示部に特定表示結果が導出表示されたときに遊技者にとって有利な特定遊技状態に制御する遊技機であれば、どのような遊技機であってもよい。
【００２１】
〔第１実施形態〕
以下、本発明の実施の形態を、図面を参照して説明する。まず、遊技機の一例であるパチンコ遊技機１の全体の構成について説明する。図１はパチンコ遊技機１を正面からみた正面図である。図２は当り種別表である。
【００２２】
パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。
【００２３】
ガラス扉枠２の下部表面には打球供給皿（上皿）３がある。打球供給皿３の下部には、打球供給皿３に収容しきれない遊技球を貯留する余剰球受皿４、および、打球を発射する打球操作ハンドル（操作ノブ）５等が設けられている。また、ガラス扉枠２の背面には、遊技盤６が着脱可能に取付けられている。遊技盤６は、それを構成する板状体と、その板状体に取付けられた種々の部品とを含む構造体である。また、遊技盤６の前面には、打込まれた遊技球が流下可能な遊技領域７が形成されている。
【００２４】
余剰球受皿（下皿）４を形成する部材には、たとえば下皿本体の上面における手前側の所定位置（たとえば下皿の中央部分）等に、スティック形状（棒形状）に構成され、遊技者が把持して複数方向（前後左右）に傾倒する操作が可能なスティックコントローラ１２２が取付けられている。なお、スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００２５】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２４が設けられている。プッシュボタン１２４は、遊技者からの押下操作等による所定の指示操作を、機械的、電気的、あるいは、電磁的に、検出できるように構成されていればよい。プッシュボタン１２４の設置位置における上皿の本体内部等には、プッシュボタン１２４に対してなされた遊技者の操作行為を検知するプッシュセンサ１２０（図３参照）が設けられていればよい。図１に示す構成例では、プッシュボタン１２４とスティックコントローラ１２２の取付位置が、上皿及び下皿の中央部分において上下の位置関係にある。これに対して、上下の位置関係を保ったまま、プッシュボタン１２４及びスティックコントローラ１２２の取付位置を、上皿及び下皿において左右のいずれかに寄せた位置としてもよい。あるいは、プッシュボタン１２４とスティックコントローラ１２２の取付位置が上下の位置関係にはなく、たとえば左右の位置関係にあるものとしてもよい。
【００２６】
なお、本実施の形態では、遊技者が操作可能な操作手段として、スティックコントローラを設けた例を示したが、これに限らず、操作手段としては、単なるプッシュボタン、レバースイッチ、および、ジョグダイヤル等のその他の操作手段を設けてもよい。
【００２７】
遊技領域７の中央付近には、各々を識別可能な複数種類の識別情報としての演出図柄を変動表示（可変表示ともいう）可能な変動表示部としての演出表示装置９が設けられている。遊技領域７における演出表示装置９の右側方には、各々を識別可能な複数種類の識別情報としての第１特別図柄を変動表示する第１特別図柄表示器８ａと、各々を識別可能な複数種類の識別情報としての第２特別図柄を変動表示する第２特別図柄表示器８ｂとが設けられている。
【００２８】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されており、表示画面において、第１特別図柄または第２特別図柄の変動表示に同期した演出図柄の変動表示を行なう演出図柄表示領域が設けられる。演出図柄表示領域には、たとえば「左」、「中」、「右」の３つの装飾用（演出用）の演出図柄を変動表示する図柄表示エリアが形成される。
【００２９】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示が実行され、第２特別図柄表示器８ｂで第２特別図柄の変動表示が実行されているときに、その変動表示に伴なって演出表示装置９で演出表示が実行されるので、遊技の進行状況を把握しやすくすることができる。
【００３０】
第１特別図柄表示器８ａに特定表示結果としての大当り表示結果（大当り図柄）が導出表示されたとき、または、第２特別図柄表示器８ｂに特定表示結果としての大当り表示結果（大当り図柄）が導出表示されたときには、演出表示装置９においても、特定表示結果としての大当り表示結果（大当り図柄の組合せ）が導出表示される。このように変動表示の表示結果として特定表示結果が表示されたときには、遊技者にとって有利な価値（有利価値）が付与される有利状態としての特定遊技状態（大当り遊技状態）に制御される。
【００３１】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これら状態をリーチ状態という。）で行なわれる演出をリーチ演出という。
【００３２】
ここで、リーチ状態は、演出表示装置９の表示領域において停止表示された演出図柄が大当り組合せの一部を構成しているときに未だ停止表示されていない演出図柄の変動が継続している表示状態、または、全部もしくは一部の演出図柄が大当り組合せの全部または一部を構成しながら同期して変動している表示状態である。言い換えると、リーチとは、複数の変動表示領域において識別情報が特定表示結果を構成しているが少なくとも一部の変動領域領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００３３】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別のリーチをスーパーリーチという。
【００３４】
演出表示装置９の右方には、各々を識別可能な識別情報としての第１特別図柄を変動表示する第１特別図柄表示器（第１変動表示部）８ａが設けられている。第１特別図柄表示器８ａは、０〜９の数字等の特別図柄を変動表示可能な簡易で小型の表示器（たとえば７セグメントＬＥＤ）で実現されている。また、演出表示装置９の右方（第１特別図柄表示器８ａの右隣）には、各々を識別可能な識別情報としての第２特別図柄を変動表示する第２特別図柄表示器（第２変動表示部）８ｂが設けられている。第２特別図柄表示器８ｂは、０〜９の数字等の特別図柄を変動表示可能な簡易で小型の表示器（たとえば７セグメントＬＥＤ）で実現されている。
【００３５】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００３６】
なお、この実施の形態では、２つの特別図柄表示器８ａ，８ｂを備える場合を示しているが、遊技機は、特別図柄表示器を１つのみ備えるものであってもよい。
【００３７】
第１特別図柄または第２特別図柄の変動表示は、変動表示の実行条件である第１始動条件または第２始動条件が成立（たとえば、遊技球が第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００３８】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３９】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００４０】
第２特別図柄表示器８ｂの上方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの変動表示が開始される毎に、点灯する表示器の数を１減らす。
【００４１】
また、第２特別図柄保留記憶表示器１８ｂのさらに上方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００４２】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００４３】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００４４】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。
【００４５】
また、演出表示装置９の表示画面の下部には、第１保留記憶数を表示する第１保留記憶表示部１８ｃと、第２保留記憶数を表示する第２保留記憶表示部１８ｄとが設けられている。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、変動表示の開始条件が成立していない実行条件の成立数の合計を把握しやすくすることができる。
【００４６】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４７】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００４８】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００４９】
遊技球がゲート３２を通過しゲートスイッチ３２ａで検出されると、普通図柄表示器１０の表示の変動表示が開始される。そして、普通図柄表示器１０における停止図柄が所定の図柄（当り図柄。たとえば、図柄「７」。）である場合に、可変入賞球装置１５が所定回数、所定時間だけ遊技者にとって不利な閉状態から遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００５０】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００５１】
また、プリペイドカードが挿入されることによって球貸しを可能にするプリペイドカードユニット（以下、単に「カードユニット」ともいう。）が、パチンコ遊技機１に隣接して設置される（図示せず）。
【００５２】
図２の当り種別表においては、大当りにおける当りの種別ごとに、大当り遊技状態の終了後の大当り確率、大当り遊技状態の終了後のベース、大当り遊技状態終了後の変動時間、大当りにおける開放回数（ラウンド数）、および、各ラウンドの開放時間が示されている。
【００５３】
具体的に、大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００５４】
「大当り」のうち、大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、本実施の形態では、特別遊技状態としては、確変状態に付随して、特別図柄や演出図柄の変動時間（変動表示期間）が非時短状態よりも短縮される時短状態に制御される場合がある。なお、特別遊技状態としては、確変状態とは独立して時短状態に制御される場合があるようにしてもよい。
【００５５】
このように、時短状態に移行することによって、特別図柄や演出図柄の変動時間が短縮されるので、時短状態となったときには、有効な始動入賞が発生しやすくなり大当り遊技が行なわれる可能性が高まる。
【００５６】
なお、「大当り」のうち、１５ラウンドの大当り遊技状態に制御された後、確変状態に移行しない大当りの種類（種別）は、「通常大当り」と呼ばれる。
【００５７】
また、特別遊技状態としては、確変状態に付随して、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される場合がある。
【００５８】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。また、このような制御によって第２始動入賞口１４への入賞頻度が高まることにより、第２始動条件の成立頻度および／または第２特別図柄の変動表示の実行頻度が高まる遊技状態となる。
【００５９】
このような電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００６０】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００６１】
また、この実施の形態においては、大当り確率の状態およびベースの状態の組合せを示す用語として、「低確低ベース状態」、「低確高ベース状態」、「高確低ベース状態」、および、「高確高ベース状態」を用いる。「低確低ベース状態」とは、大当り確率の状態が低確率状態で、かつ、ベースの状態が低ベース状態であることを示す状態である。「低確高ベース状態」とは、大当り確率の状態が低確率状態で、かつ、ベースの状態が高ベース状態であることを示す状態である。「高確低ベース状態」とは、大当り確率の状態が高確率状態で、かつ、ベースの状態が低ベース状態であることを示す状態である。「高確高ベース状態」とは、大当り確率の状態が高確率状態で、かつ、ベースの状態が高ベース状態であることを示す状態である。
【００６２】
図２に示すように、１５ラウンドの大当りとしては、通常大当りと、確変大当りとの複数種類の大当りが設けられている。
【００６３】
通常大当りは、１５ラウンドの大当り遊技状態の終了後に、非確変状態、時短状態、および、電チューサポート制御状態（低確高ベース状態）に制御される大当りである。確変大当りは、１５ラウンドの大当り遊技状態の終了後に、確変状態、時短状態、および、電チューサポート制御状態（高確高ベース状態）に移行する制御が行なわれる大当りである。確変大当りにおいては、確変状態、時短状態、および、電チューサポート制御状態が、次回の大当りが発生するまでという条件が成立するまでの期間継続する。
【００６４】
また、通常大当りにおいては、時短状態が、変動表示が１００回という所定回数実行されるまでという条件と、次回の大当りが発生するまでという条件とのいずれか早い方の条件が成立するまでの期間継続する。このように時短状態が継続する変動表示の回数は、時短回数とも呼ばれる。なお、通常大当りは、非確変状態、非時短状態、および、非電チューサポート制御状態（低確低ベース状態）に制御される大当りとなるように制御するものであってもよい。
【００６５】
図３は、主基板（遊技制御基板）３１における回路構成の一例を示すブロック図である。なお、図３は、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００６６】
また、ＲＡＭ５５は、その一部または全部が電源基板９１０において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００６７】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００６８】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００６９】
また、ゲートスイッチ３２ａ、第１始動口スイッチ１３ａ、第２始動口スイッチ１４ａ、カウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【００７０】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００７１】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【００７２】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御を行なうとともに、音声出力基板７０を介してスピーカ２７からの音出力の制御を行なう等、各種の演出制御を行なう。
【００７３】
また、演出制御用ＣＰＵ１０１は、スティックコントローラ１２２のトリガボタン１２５に対する遊技者の操作行為を検出したことを示す情報信号としての操作検出信号を、トリガセンサ１２１から、入力ポート１０６を介して入力する。また、演出制御用ＣＰＵ１０１は、プッシュボタン１２４に対する遊技者の操作行為を検出したことを示す情報信号としての操作検出信号を、プッシュセンサ１２０から、入力ポート１０６を介して入力する。また、演出制御用ＣＰＵ１０１は、スティックコントローラ１２２の操作桿に対する遊技者の操作行為を検出したことを示す情報信号としての操作検出信号を、傾倒方向センサユニット１２３から、入力ポート１０６を介して入力する。また、演出制御用ＣＰＵ１０１は、出力ポート１０５を介してバイブレータ用モータ１２６に駆動信号を出力することにより、スティックコントローラ１２２を振動動作させる。
【００７４】
図４は、各乱数を示す説明図である。各乱数は、以下のように使用される。
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。（２）ランダム１（ＭＲ１）：大当りの種類（種別、通常大当り、および、確変大当りのいずれかの種別）および大当り図柄を決定する（大当り種別判定用、大当り図柄決定用）。（３）ランダム２（ＭＲ２）：変動パターンの種類（種別）を決定する（変動パターン種別判定用）。（４）ランダム３（ＭＲ３）：変動パターン（変動時間）を決定する（変動パターン判定用）。（５）ランダム４（ＭＲ４）：普通図柄に基づく当りを発生させるか否か決定する（普通図柄当り判定用）。（６）ランダム５（ＭＲ５）：ランダム４の初期値を決定する（ランダム４初期値決定用）。
【００７５】
この実施の形態では、特定遊技状態である大当りとして、通常大当り、および、確変大当りという複数の種別が含まれている。したがって、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【００７６】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。
【００７７】
この実施の形態では、通常大当り、および、確変大当りである場合には、変動パターンが、ノーマルリーチを伴うノーマルリーチ変動パターン種別と、スーパーリーチを伴うスーパーリーチ変動パターン種別とに種別分けされている。このような変動パターン種別は、予め定められた割合で選択される。また、はずれである場合には、リーチを伴わない変動パターン種別である通常変動パターン種別と、ノーマルリーチ変動パターン種別と、スーパーリーチ変動パターン種別とに種別分けされている。
【００７８】
このような変動パターン種別は、表示結果がはずれとなる場合に、時短状態であるときと、時短状態でないときとで、変動パターン種別の選択割合が異なる（時短状態では、時短状態でないときと比べて、通常変動パターン種別のような変動時間が短い変動パターン種別が選択される割合が高く設定されている）ように設定されていることにより、時短状態であるときには、時短状態でないときと比べて、変動時間が短縮される。
【００７９】
なお、このような変動パターン種別は、変動表示をする各特別図柄の保留記憶数が所定数以上であるときと、所定数未満であるときとで選択割合が異なるように設定されることにより、変動表示をする各特別図柄の保留記憶数が所定数以上であるときには、各特別図柄の保留記憶数が所定数未満であるときと比べて、変動時間が短縮される保留数短縮制御を実行するようにしてもよい。
【００８０】
図５は、大当り判定テーブルおよび大当り種別判定テーブルを示す説明図である。図５（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【００８１】
通常時大当り判定テーブルには、図５（Ａ）の左欄に記載されている各数値が大当り判定値として設定され、確変時大当り判定テーブルには、図５（Ａ）の右欄に記載されている各数値が大当り判定値として設定されている。確変時大当り判定テーブルに設定された大当り判定値は、通常時大当り判定テーブルに設定された大当り判定値と共通の大当り判定値（通常時大当り判定値または第１大当り判定値という）に、確変時固有の大当り判定値が加えられたことにより、確変時大当り判定テーブルよりも多い個数（１０倍の個数）の大当り判定値（確変時大当り判定値または第２大当り判定値という）が設定されている。これにより、確変状態には、通常状態よりも高い確率で大当りとする判定がなされる。
【００８２】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、または、確変大当り）にすることに決定する。なお、図５（Ａ）に示す「確率」は、大当りになる確率（割合）を示す。
【００８３】
図５（Ｂ），（Ｃ）は、ＲＯＭ５４に記憶されている大当り種別判定テーブルを示す説明図である。図５（Ｂ）は、遊技球が第１始動入賞口１３に入賞したことに基づく保留記憶（第１保留記憶ともいう）を用いて大当り種別を決定する場合（第１特別図柄の変動表示が行なわれるとき）に用いる第１特別図柄大当り種別判定テーブル（第１特別図柄用）である。図５（Ｃ）は、遊技球が第２始動入賞口１４に入賞したことに基づく保留記憶（第２保留記憶ともいう）を用いて大当り種別を決定する場合（第２特別図柄の変動表示が行なわれるとき）に用いる第２特別図柄大当り種別判定テーブルである。
【００８４】
図５（Ｂ）、および、図５（Ｃ）特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」、「確変大当り」のうちのいずれかに決定するとともに、大当り図柄を決定するために参照される。
【００８５】
図５（Ｂ）の第１特別図柄大当り種別判定テーブルには、ランダム１の値と比較される数値であって、「通常大当り」、「確変大当り」のそれぞれに対応した判定値（大当り種別判定値）が設定されている。図５（Ｃ）の第２特別図柄大当り種別判定テーブルには、ランダム１の値と比較される数値であって、「通常大当り」、「確変大当り」のそれぞれに対応した判定値（大当り種別判定値）が設定されている。
【００８６】
また、図５（Ｂ），（Ｃ）に示すように、大当り種別判定値は、第１特別図柄および第２特別図柄の大当り図柄を決定する判定値（大当り図柄判定値）としても用いられる。「通常大当り」に対応した判定値は、第１特別図柄および第２特別図柄の大当り図柄の「３」に対応した判定値としても設定されている。「確変大当り」に対応した判定値は、第１特別図柄および第２特別図柄の大当り図柄の「７」に対応した判定値としても設定されている。
【００８７】
このような大当り種別大当り種別判定テーブルを用いて、ＣＰＵ５６は、大当り種別として、ランダム１の値が一致した大当り種別判定値に対応する種別を決定するとともに、大当り図柄として、ランダム１の値が一致した大当り図柄を決定する。これにより、大当り種別と、大当り種別に対応する大当り図柄とが同時に決定される。
【００８８】
図５（Ｂ）の第１特別図柄大当り種別判定テーブルと図５（Ｃ）の第２特別図柄大当り種別判定テーブルとは、確変大当りに決定される割合が同じである。しかし、図５（Ｃ）の第２特別図柄大当り種別判定テーブルの方が、図５（Ｂ）の第１特別図柄大当り種別判定テーブルよりも、確変大当りに決定される割合を高くしてもよい。そうすることにより、第２特別図柄の変動表示の方が、第１特別図柄の変動表示よりも、確変大当りとなる割合を高くすることができる。また、第１特別図柄大当り種別判定テーブルの方が、第２特別図柄大当り種別判定テーブルよりも、確変大当りに決定される割合が高くなるようにしてもよい。
【００８９】
図６は、遊技制御用マイクロコンピュータ５６０が送信する演出制御コマンドの内容の一例を示す説明図である。遊技制御用マイクロコンピュータ５６０においては、図６に示すように、遊技制御状態に応じて、各種の演出制御コマンドを演出制御用マイクロコンピュータ１００へ送信する。
【００９０】
図６のうち、主なコマンドを説明する。コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、後述する図９および図１０に示すような使用され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【００９１】
コマンド８Ｃ０１（Ｈ）〜８Ｃ０３（Ｈ）は、大当りとするか否か、および大当り種別を示す表示結果指定コマンドである。
【００９２】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定するコマンド（図柄確定指定コマンド）である。
【００９３】
パチンコ遊技機１においては、演出表示装置９において、擬似連と呼ばれる演出が実行される場合がある。ここで、擬似連とは、本来は１つの保留記憶に対応する１回の変動であるものの複数の保留記憶に対応する複数回の変動が連続して行なわれているように見せる演出表示である擬似連続変動を示す略語である。
【００９４】
また、擬似連とは、１の始動入賞に対して、あたかも複数回の図柄の変動表示（可変表示）が実行されたかのように見せるために、１の始動入賞に対して決定された変動時間内にて、全部の図柄列（左，中，右）について仮停止と、再変動とを所定回数実行する特殊な変動パターン（変動表示パターンともいう）のことを指す。たとえば、再変動の繰返し実行回数（初回変動およびその後の再変動を含む合計の変動回数であり、擬似連変動回数ともいう）が多い程、大当りとなる信頼度（大当りとなるときとはずれとなるときとを含むすべての選択割合に対して大当りとなるときに選択される割合の度合い、大当りとなる割合の程度、すなわち、大当りとなる信頼性の度合い）が高くなる。より具体的には、大当りと決定されたときに選択される割合が高くなる。擬似連の変動パターンにおいては、演出表示装置９において仮停止される図柄の組合せが、仮停止図柄の組合せと呼ばれる。仮停止図柄の組合せは、大当り図柄の組合せ以外の図柄の組合せよりなる複数種類のチャンス目（以下、擬似連出目（擬似連チャンス目）という）のうちからいずれかの擬似連チャンス目に決定される。
【００９５】
そして、このような擬似連の再変動が行なわれる演出のことを擬似連再変動演出という。本実施の形態では、擬似連再変動演出が実行される前に、擬似連の実行を示唆する擬似連示唆演出が実行される場合がある。そして、擬似連示唆演出の後に、擬似連示唆演出の成功結果として、擬似連出目が表示され、擬似連再変動演出が実行される場合と、擬似連示唆演出の失敗結果としてリーチ図柄（リーチ目）が表示され、リーチ演出が実行される場合とがある。
【００９６】
擬似連の演出表示としては、特別図柄および演出図柄の１回の変動表示中に、再変動を１回実行する擬似連再変動演出を、１回実行する場合（たとえば、後述の図９等に示すスーパーリーチＥ〜Ｈ）と、擬似連示唆演出を挟んで複数回繰返し実行する場合（たとえば、後述の図９等に示すスーパーリーチＩ〜Ｌ）とがある。たとえば、スーパーリーチＬでは、１回目の擬似連示唆演出の後に１回目の擬似連再変動演出を実行し、２回目の擬似連示唆演出の後に２回目の擬似連再変動演出を実行し、その後に３回目の擬似連再変動演出を実行する演出が行なわれる。
【００９７】
図７は、擬似連示唆演出の制御タイミングを示すタイミングチャートである。図７に示すように、擬似連示唆演出が実行された後は、成功結果となって擬似連再変動演出が行なわれる場合と、失敗結果となってリーチ演出が行なわれる場合とがある。
【００９８】
図７に示すように擬似連の実行を示唆する擬似連示唆演出には、図柄変化示唆演出、図柄変化演出、成功・失敗示唆演出の３つの演出が含まれている。時系列に沿って詳細すると、まず、擬似連出目（たとえば、図８に示すような「６６７」の出目）に近い出目（たとえば、図８に示すような「６５７」の出目）を構成する演出図柄の組合せを仮停止表示（停止しているように見せるが実際は一部の図柄（中図柄）がゆっくりと動作している状態であり、以下、仮停止と呼ぶ）させ特定のキャラクタを登場させる。このように、キャラクタが登場したときから演出図柄にキャラクタが乗るときまでの演出が演出図柄の変化を示唆する図柄変化示唆演出である。そして、図柄変化示唆演出が行なわれた後、演出図柄にキャラクタが乗って演出図柄が揺動等の動作および滑る動作をする演出が行なわれる。ここで、滑る動作をする演出（「滑り演出」、「滑り」ともいう）とは、変動表示において演出図柄の停止直前に演出図柄を停止予測位置から滑らせる演出表示をいう。演出図柄が滑ると、それに連動して別の図柄（たとえば、次の図柄）が停止予測位置に移動して表示されることとなる。このように演出図柄にキャラクタが乗ったときから当該演出図柄が滑っているときまでの演出図柄が変化する演出が、図柄変化演出である。さらに、図柄が滑ってから成功結果となり擬似連出目が表示されるか、失敗結果となりリーチ目と呼ばれるリーチ図柄であるが表示されるかのいずれか一方が行なわれるまでにおいて擬似連の実行または非実行を示唆する演出が成功・失敗示唆演出である。
【００９９】
このように、擬似連演出（擬似連再変動演出）を実行する前に行なわれる擬似連示唆演出に複数の演出が含まれるので、演出が変化に富むようになり、遊技者の期待感を高めることができ、遊技の興趣を向上させることができる。
【０１００】
なお、図柄変化示唆演出は、たとえばキャラクタが登場したときからキャラクタが演出図柄に乗る前のときまでのタイミングで行なわれるものであってもよく、図柄変化演出の実行に先立って図柄変化演出の実行を示唆する演出であれば、実行タイミング、および、演出態様は、前述したものに限られるものではない。
【０１０１】
また、図柄変化演出は、たとえば演出図柄にキャラクタが乗った後から当該演出図柄が滑る前のときまでのタイミングで行なわれるものであってもよく、成功・失敗示唆演出が成功結果となることを示唆する演出であれば、実行タイミング、および、演出態様は、前述したものに限られるものではない。
【０１０２】
また、成功・失敗示唆演出は、たとえば演出図柄が滑るときから成功結果または失敗結果が表示されたときまでのタイミング、または、成功結果または失敗結果が表示される時点のみのタイミング等のその他のタイミングで行なわれるものであってもよく、前述の成功結果と失敗結果とのいずれかを示す演出であれば、実行タイミング、および、演出態様は、前述したものに限られるものではない。
【０１０３】
次に、本実施の形態で行なわれる演出について、演出表示装置９の表示画像に基づいて説明する。図８は、擬似連示唆演出を示す演出表示装置９の表示画面図である。図８（ａ）に示すように演出表示装置９における「左」、「中」、「右」の各図柄表示エリア９１、９２、９３のぞれぞれで変動表示が開始された後、図８（ｂ）に示すようにキャラクタ９４が登場することで、これから図柄が変化することを示唆する。このときの表示出目は、擬似連出目である「６６７」に近い出目が仮停止表示（表示結果が確定しておらず一部または全部の演出図柄がゆっくりと上下方向の動作をしている表示状態）されている。具体的には、「左」の図柄表示エリア９１に「６」、「中」の図柄表示エリア９２に「５」、「右」の図柄表示エリア９３に「７」の図柄が仮停止表示され、「中」の図柄表示エリア９２で中図柄がゆっくりと動作している。
【０１０４】
その後、図８（ｃ）に示すように、「中」の図柄表示エリア９２に表示されている「５」図柄の上にキャラクタ９４が乗り、中図柄が上下に揺れるような演出が行なわれる。このように、演出図柄にキャラクタが付加されるような態様で、図柄変化演出が行なわれる。その後、図８（ｄ）または図８（ｆ）に示すような図柄が滑る演出が行なわれることにより、図柄変化演出が行なわれる。ここで、図８（ｄ）のようにキャラクタ９４が「中」の図柄表示エリア９２に表示されている「５」図柄に乗ることにより、中図柄が１図柄滑って「５」図柄の次の「６」図柄が表示される場合には、図８（ｅ）に示すように擬似連出目である「６６７」が停止されることにより、成功結果を表示する成功・失敗示唆演出が行なわれる。さらに、その後擬似連再変動演出が実行される。
【０１０５】
また、図８（ｆ）のように「中」の図柄表示エリア９２が滑りすぎて再変動し、「左」の図柄表示エリア９１が１図柄滑って「６」図柄の次の「７」図柄が表示される場合には、図８（ｇ）に示すように「左」の図柄表示エリア９１に「７」図柄が停止表示され、リーチ目（リーチ図柄）が表示されることにより、失敗結果を表示する成功・失敗示唆演出が行なわれる。さらに、その後リーチ演出が実行される。
【０１０６】
上記のような演出において、図柄変化示唆演出は、キャラクタが登場してから図柄にキャラクタが乗るまでの図８（ｂ），（ｃ）の演出に対応している。また、図柄変化演出は、図柄にキャラクタが乗って演出図柄が揺動等の動作および滑る動作をしているときまでの図８（ｃ），（ｄ）または（ｃ），（ｆ）の演出に対応している。さらに、成功・失敗示唆演出は、演出図柄が滑っているときから擬似連出目またはリーチ目が表示されるときまでの図８（ｄ），（ｅ）または図８（ｆ），（ｇ）の演出に対応している。
【０１０７】
また、図８（ｅ）の後の擬似連再変動演出では、全部の図柄表示エリア９１、９２、９３で演出図柄（擬似連出目をなす図柄）を再び変動（擬似連変動）させる演出表示（擬似連再変動演出）を、１回の変動表示期間中において、所定回（たとえば２回）行なう。具体的には、図８（ｅ）の後は、図９，図１０に示すように、１回の変動表示期間中において、さらに、擬似連示唆演出、擬似連再変動演出（２回目）を繰り返す場合（スーパーリーチＩ，Ｊ）がある。
【０１０８】
次に、図９および図１０を用いて、遊技制御用マイクロコンピュータ５６０において、特別図柄および演出図柄の変動パターンを選択決定するために用いる変動パターンテーブルについて説明する。図９および図１０は、変動パターンを決定するために用いる変動パターンテーブルを表形式で示す図である。
【０１０９】
図９には、（ａ）にはずれ時第１判定テーブル、（ｂ）にはずれ時第２判定テーブルが示されている。図１０には、（ａ）に通常大当り時判定テーブル、（ｂ）に確変大当り時判定テーブルが示されている。図９（ａ），（ｂ）および図１０（ａ），（ｂ）の各判定テーブルは、ＲＯＭ５４に記憶されており、遊技状態に応じて選択され、変動パターン種別および変動パターンを判定（決定）するために用いられる。
【０１１０】
ここで、「はずれ時」の変動パターンは、変動表示の最終的な表示結果が「はずれ」の表示結果となる変動パターンである。「通常大当り時」の変動パターンは、変動表示の最終的な表示結果が「通常大当り」の表示結果となる変動パターンである。「確変大当り時」の変動パターンは、変動表示の最終的な表示結果が「確変大当り」の表示結果となる変動パターンである。
【０１１１】
図９および図１０に示す判定テーブルのそれぞれは、ランダム２と変動パターン種別との関係を示す変動パターン種別判定テーブルと、各変動パターン種別についてランダム３と各種別に属する変動パターンとの関係を示す変動パターン判定テーブルとを含む。
【０１１２】
図９および図１０のテーブルで「ランダム２個数」および「変動パターン種別」という記載がされた欄は、「ランダム２個数」と「変動パターン種別」との関係を示す変動パターン種別判定テーブル部としての機能を示す欄である。たとえば、図９（ａ）を例にとれば、「通常」、「ノーマルリーチ」、「スーパーリーチ」というような複数の変動パターン種別のそれぞれに、ランダム２（１〜２５１）のすべての値が複数の数値範囲に分けて割振られている。たとえば、図９（ａ）を例にとれば、所定のタイミングで抽出したランダム２の値が２５１個のうちの３２個に割振られた判定値のいずれかの数値と合致すると、変動パターン種別として「スーパーリーチ」とすることが決定される。
【０１１３】
また、図９および図１０のテーブルで「ランダム３個数」および「変動パターン」という記載がされた欄は、「ランダム３個数」と「変動パターン」との関係を示す変動パターン判定テーブル部としての機能を示す欄である。変動パターン種別判定テーブルの各種別に対応して示されている変動パターンが、各種別に属する変動パターンである。そして、各変動パターン種別に対応する複数の変動パターンのそれぞれに、ランダム３（１〜２２０）のすべての値が、複数の数値範囲に分けて割振られている。たとえば、図９（ａ）を例にとれば、「スーパーリーチ」の変動パターン種別とすることが決定されたときに、所定のタイミングで抽出したランダム３の値に応じて、「スーパーリーチＡ〜Ｌ」のうちから変動パターンが選択決定される。
【０１１４】
ここで、図９の各テーブルでの「変動パターン種別」または「変動パターン」の欄において、「通常」または「通常変動」は、リーチとならない通常変動パターンを示している。
【０１１５】
また、図９および図１０の各テーブルでの「ノーマルリーチ」は、リーチ状態となったときに特に派手な演出を実行しないノーマルリーチの変動パターンを示している。「スーパーリーチ」は、リーチ状態となったときに特別な演出画像を表示するリーチ演出を行なう変動パターンを示している。
【０１１６】
また、前述したように、「スーパーリーチ」は、「ノーマルリーチ」と比べて大当りとなるときに選択される割合が高く、大当りとなる信頼度（大当り期待度）が高い変動パターンである。本実施の形態では、擬似連の変動パターンがすべて「スーパーリーチ」の変動パターンとして設定されている例を示すが、擬似連の変動パターンが「ノーマルリーチ」の変動パターンとして設定される場合があってもよい。
【０１１７】
スーパーリーチＡ〜Ｌにおいて「特定」、「非特定」とはそれぞれ「特定態様のリーチ演出（特定リーチ演出）」、「非特定態様のリーチ演出（非特定リーチ演出）」を示している。「特定リーチ演出」とは、「スーパーリーチ」の中でもより大当り信頼度の高いリーチ演出のことである（たとえば、プレミアムリーチなど）。また、「非特定リーチ演出」とは、「特定リーチ演出」と比べると大当り期待度は低いものの、「ノーマルリーチ」と比べると大当り信頼度が高いリーチ演出のことである。
【０１１８】
また、「示唆」とは、擬似連示唆演出を示している。擬似連示唆演出は、スーパーリーチＣ〜Ｌにおいて実行される演出である。スーパーリーチＣ〜Ｌには、変動パターン欄において左から順に実行される演出が時系列的に示されている。
【０１１９】
前述したように、本実施の形態では、擬似連の演出表示として、特別図柄および演出図柄の１回の変動表示中に再変動を１回実行する擬似連再変動演出を、１回のみ実行する場合（たとえば、図９および図１０に示すスーパーリーチＥ〜Ｈ）と、擬似連示唆演出を挟んで複数回繰返し実行する場合（たとえば、図９および図１０に示すスーパーリーチＩ〜Ｌ）とがある。スーパーリーチＥ〜Ｌにおいて「擬似連１」、「擬似連２」、「擬似連３」とは、それぞれ１回目に実行される擬似連再変動演出、２回目に実行される擬似連再変動演出、３回目に実行される擬似連再変動演出を示している。
【０１２０】
たとえば、スーパーリーチＬでは、１回の変動表示中において、２回の擬似連示唆演出および３回の擬似連再変動演出が実行される。具体的に、スーパーリーチＬにおいて、１回目の擬似連示唆演出が実行された後に、１回目の擬似連再変動演出が実行され、その後２回目の擬似連示唆演出が実行された後、２回目の擬似連再変動演出が実行され、その後に３回目の擬似連再変動演出が実行される。そして、スーパーリーチＬにおいては、最後に特定リーチ演出が実行される。このような変動パターンが実行される場合には、変動時間として６５秒を要する。
【０１２１】
また、スーパーリーチＣ〜Ｌでは、擬似連示唆演出の結果も合わせて表示している。「擬似連示唆演出結果」の欄において「成功」とは、成功・失敗示唆演出（擬似連示唆演出）が成功結果となること、つまり、擬似連出目が表示されることを示している。また、「失敗」とは、成功・失敗示唆演出（擬似連示唆演出）が失敗結果となること、つまり、リーチ出目（リーチ図柄）が表示されてリーチ演出となることを示している。
【０１２２】
スーパーリーチＣ，Ｄでは、擬似連示唆演出の後に特定リーチ演出、または、非特定リーチ演出が実行されるので、成功・失敗示唆演出において、擬似連出目が表示されず失敗結果となる。スーパーリーチＥ，Ｆでは、擬似連示唆演出の後に擬似連出目が表示され擬似連の再変動が実行され、その後、特定リーチ演出または、非特定リーチ演出が実行されるので、成功・失敗示唆演出において、成功結果となる。スーパーリーチＧ，Ｈは、擬似連示唆演出の後、擬似連出目が表示され擬似連再変動演出が実行されるが、その後、再度擬似連示唆演出が実行され、２回目の擬似連示唆演出の後は、特定リーチ演出または、非特定リーチ演出が実行され、擬似連再変動演出が実行されない。つまり、２回目の擬似連示唆演出の後には擬似連出目が表示されることなくリーチ演出となるので、失敗結果となる。
【０１２３】
また、スーパーリーチＩ，Ｊは、１回目の擬似連示唆演出の後に、１回目の擬似連再変動演出が実行され、その後２回目の擬似連示唆演出の後に擬似連出目が表示され、２回目の擬似連再変動演出が実行された後に、特定リーチ演出、または、非特定リーチ演出が実行されるので、成功・失敗示唆演出において、成功結果となる。さらに、スーパーリーチＫ，Ｌは、１回目の擬似連示唆演出の後に、１回目の擬似連再変動演出が実行され、その後２回目の擬似連示唆演出および２回目の擬似連再変動演出が実行された後に、３回目の擬似連示唆演出が実行されることなく、３回目の擬似連再変動演出が実行される。その後、特定リーチ演出または、非特定リーチ演出が実行される。つまり、最終の（２回目の）擬似連示唆演出の後に擬似連出目が表示され、擬似連再変動演出が実行されているので、成功結果となる。
【０１２４】
このように、スーパーリーチＫ，Ｌについては、３回目の擬似連再変動演出の前に擬似連示唆演出が実行されない。よって、擬似連再変動演出を３回以上繰返し実行してリーチ演出に発展させる場合は、リーチ演出に発展させる前に擬似連示唆演出が実行されないので、擬似連再変動演出の繰返し実行回数が多くなったことにより大当り遊技状態に大きな期待感を持った遊技者の期待感を損ねないようにすることができる。
【０１２５】
また、第１特別図柄または第２特別図柄について変動表示結果がはずれとなるときには、変動パターンを決定するために、次のように判定テーブルを選択する。非時短状態において、変動表示結果がはずれとなるときには、図９（ａ）のはずれ時第１判定テーブルを選択する。一方、時短状態において、変動表示結果がはずれとなるときには、図９（ｂ）のはずれ時第２判定テーブルを選択する。
【０１２６】
また、時短状態であるか否かにかかわらず第１特別図柄または第２特別図柄について変動表示結果が大当りとなるときには、変動パターンを決定するために、次のように判定テーブルを選択する。変動表示結果が通常大当りとなるときには、図１０（ａ）の通常大当り時判定テーブルを選択する。時短状態であるか否かにかかわらず変動表示結果が確変大当りとなるときには、図１０（ｂ）の確変大当り時判定テーブルを選択する。
【０１２７】
図９（ｂ）のはずれ時第２判定テーブルでは、図９（ａ）のはずれ時第１判定テーブルと比べて、リーチ変動（ノーマルリーチ変動およびスーパーリーチ変動を含む）よりも変動時間が短い通常変動（非リーチはずれ変動）に決定される割合が高く、通常変動よりも変動時間が長いリーチ変動に決定される割合が低くなるように、データが設定されている。さらに、図９（ｂ）のはずれ時第２判定テーブルでは、図９（ａ）のはずれ時第１判定テーブルと比べて、通常変動の変動時間が短くなるようにデータが設定されている。
【０１２８】
これにより、非時短状態のときと比べて、時短状態のときの方が、変動時間が短い変動パターンが選択される割合が高いので、時短状態のときの方が、非時短状態のときよりも平均的に短い変動時間で変動表示が行なわれることとなる。このように判定テーブルを選択することにより時短状態を実現することができる。
【０１２９】
また、はずれとなるときに選択される図９（ａ）および図９（ｂ）の判定テーブルでは、リーチの種別の選択割合がノーマルリーチ＞スーパーリーチとなるような高低関係で選択されるようにデータが設定されている。一方、大当りとなるときに選択される図１０（ａ）および図１０（ｂ）の判定テーブルでは、リーチの種別の選択割合がノーマルリーチ＜スーパーリーチというような割合の高低関係で選択されるようにデータが設定されている。これにより、大当りとなるときには、はずれとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の期待感を高めることができる。
【０１３０】
また、大当りのうち確変大当りとなるときに選択される図１０（ｂ）の判定テーブルでは、大当りのうち通常大当りとなるときに選択される図１０（ａ）の判定テーブルと比べて、ノーマルリーチに対してスーパーリーチリーチ演出の種別が選択される割合が高くなるようにデータが設定されている。これにより、確変大当りとなるときには、通常大当りとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の確変大当りへの期待感を高めることができる。
【０１３１】
また、はずれとなるときに選択される図９（ａ）および図９（ｂ）の判定テーブルでは、スーパーリーチの選択割合が、スーパーリーチＥ，Ｆ＞スーパーリーチＩ，Ｊ＞スーパーリーチＫ，Ｌとなるような高低関係で選択されるようにデータが設定されている。一方、大当りとなるときに選択される図１０（ａ）および図７（ｂ）の判定テーブルでは、スーパーリーチの選択割合が、スーパーリーチＥ，Ｆ＜スーパーリーチＩ，Ｊ＜スーパーリーチＫ，Ｌとなるような高低関係で選択されるようにデータが設定されている。これにより、大当りとなるときには、はずれとなるときと比べて、擬似連再変動演出の実行回数が多くなる割合が高くなるので、擬似連回数（擬似連再変動演出の実行回数）が多くなる程、遊技者の大当りへの期待感を高めることができる。言い換えると、擬似連の再変動回数が多くなる程、遊技者の大当りへの期待感を高めることができる。
【０１３２】
なお、通常大当りとなるときに選択される図１０（ａ）の判定テーブルと、確変大当りとなるときに選択される図１０（ｂ）の判定テーブルとでは、ランダム３の個数は共通に設定しているが、確変大当りとなるときに選択される図１０（ｂ）の判定テーブルでは、通常大当りとなるときに選択される図１０（ａ）の判定テーブルと比べて、擬似連再変動演出の実行回数が多くなる割合が高くなるようにデータを設定してもよい。このようにすれば、確変大当りとなるときには、通常大当りとなるときと比べて、擬似連再変動演出の実行回数が多くなる割合が高くなるので、擬似連再変動演出の実行回数が多くなる程、遊技者の確変大当りへの期待感を高めることができる。
【０１３３】
また、図９および図１０において、スーパーリーチＥ，ＦおよびスーパーリーチＧ，Ｈに注目すると、スーパーリーチＥ，ＦとスーパーリーチＧ，Ｈとは、擬似連再変動演出が実行された後に擬似連示唆演出が実行されずにリーチ演出が実行される成功結果となるか、擬似連再変動演出が実行された後に擬似連示唆演出を実行してリーチ演出が実行される失敗結果になるかの違いがある。そして、擬似連再変動演出が実行された後に擬似連示唆演出を実行してリーチ演出が実行され、失敗結果となるスーパーリーチＧ，Ｈでは、擬似連再変動演出が実行された後に擬似連示唆演出が実行されずにリーチ演出が実行され、成功結果となるスーパーリーチＥ，Ｆと比べ、特定のリーチ演出を実行する変動パターンとなる割合が低い。つまり、図９（ａ）を例にすれば、スーパーリーチＨのランダム３の個数が１２個であるのに対し、スーパーリーチＦのランダム３の個数は２３であり、スーパーリーチＨ＜スーパーリーチＦの関係がある。
【０１３４】
このように、擬似連示唆演出において、成功・失敗示唆演出が失敗結果となる場合には、遊技者は経験則上、その失敗結果の延長上に出現するリーチ演出が、あまり期待の持てるリーチ演出ではないという先入観がある。このような場合に、大当りの期待度が比較的高く設定された特定のスーパーリーチ演出（たとえばプレミアムリーチ演出）等の特定のリーチ演出を実行すると、当該特定リーチ演出が、本来的には遊技者の大当りへの期待感を高めるためのものであるにも関わらず、たいして大当りへの期待感が持てないリーチ演出であると遊技者に認識させてしまうおそれがある。よって、擬似連示唆演出において、失敗結果となる場合には、成功結果となる場合と比較して、特定リーチ演出に発展する割合を低く設定することで、特定リーチ演出のようなプレミアム感のあるリーチ演出への遊技者の期待感を損なわないようにすることができる。
【０１３５】
また、図１０における特定リーチ演出を実行するスーパーリーチの選択割合は、スーパーリーチＬ（擬似連再変動演出３回繰返し）＞スーパーリーチＪ（擬似連再変動演出２回繰返し）＞スーパーリーチＨ，Ｆ（擬似連再変動演出１回）となっている。そして、擬似連再変動演出の実行後に実行された擬似連示唆演出が失敗結果となってリーチ演出が実行される場合のスーパーリーチの選択割合は、スーパーリーチＧ（非特定リーチ演出）＞スーパーリーチＨ（特定リーチ演出）となり、非特定リーチ演出が実行される割合が高くなるように設定されている。
【０１３６】
このようにすれば、擬似連再変動演出の実行後に実行された擬似連示唆演出が失敗結果となってリーチ演出が実行される場合には、特定リーチ演出よりも大当り遊技状態となる割合の低い非特定リーチ演出となる割合が高いので、特定リーチ演出程ではないが、大当り遊技状態となる期待感を遊技者がある程度持てる演出が行なわれることにより、遊技者の大当り遊技状態に対する期待感を適切に盛り上げることができる。
【０１３７】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１３８】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１３９】
図１１は、タイマ割込処理を示すフローチャートである。タイマ割込が発生すると、ＣＰＵ５６は、図１１に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１４０】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１４１】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１４２】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１４３】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１４４】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１４５】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。
【０１４６】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１４７】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１４８】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１４９】
その後、割込許可状態に設定し（Ｓ３４）、処理を終了する。以上の制御によって、この実施の形態では、遊技制御処理は所定時間毎に起動されることになる。
【０１５０】
図１２は、特別図柄プロセス処理（Ｓ２６）を示すフローチャートである。特別図柄プロセス処理では第１特別図柄表示器８ａまたは第２特別図柄表示器８ｂおよび大入賞口を制御するための処理が実行される。特別図柄プロセス処理においては、始動口スイッチ通過処理を実行する（Ｓ３１２）。そして、内部状態に応じて、Ｓ３００〜Ｓ３０７のうちのいずれかの処理を行なう。
【０１５１】
Ｓ３００〜Ｓ３０７の処理は、以下のような処理である。
特別図柄通常処理（Ｓ３００）は、変動表示の表示結果を大当りとするか否かの決定、および、大当りとする場合の大当り種別の決定等を行なう処理である。変動パターン設定処理（Ｓ３０１）は、変動パターンの決定および変動時間タイマの計時開始等の制御を行なう処理である。
【０１５２】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると、特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１５３】
大入賞口開放前処理（Ｓ３０５）は、大当りの種別に応じて、特別可変入賞球装置２０において大入賞口を開放する制御等を行なう処理である。大入賞口開放中処理（Ｓ３０６）は、大当り遊技状態中のラウンド表示の演出制御コマンドを演出制御用マイクロコンピュータ１００に送信する制御や大入賞口の閉成条件の成立を確認する処理等を行なう処理である。大入賞口の閉成条件が成立し、かつ、まだ残りラウンドがある場合には、大当り終了処理に移行する。大当り終了処理（Ｓ３０７）は、大当り遊技状態が終了したことを遊技者に報知する表示制御を演出制御用マイクロコンピュータ１００に行なわせるための制御等を行なう処理である。
【０１５４】
図１３は、Ｓ３１２の始動口スイッチ通過処理を示すフローチャートである。第１始動口スイッチ１３ａと第２始動口スイッチ１４ａとのうちの少なくとも一方がオン状態の場合に実行される始動口スイッチ通過処理において、ＣＰＵ５６は、オンしたのが第１始動口スイッチ１３ａであるか否かを確認する（Ｓ２１１）。第１始動口スイッチ１３ａがオンしていれば、ＣＰＵ５６は、第１保留記憶数が上限値に達しているか否か（具体的には、第１保留記憶数をカウントするための第１保留記憶数カウンタの値が４であるか否か）を確認する（Ｓ２１２）。第１保留記憶数が上限値に達していれば、Ｓ２２１に移行する。
【０１５５】
第１保留記憶数が上限値に達していなければ、ＣＰＵ５６は、第１保留記憶数カウンタの値を１増やす（Ｓ２１３）。
【０１５６】
ここで、遊技制御用マイクロコンピュータ５６０側での保留記憶に対応する乱数等のデータ（保留記憶データ）を保存する領域（保留記憶バッファ）の構成例を説明する。
【０１５７】
遊技制御用マイクロコンピュータ５６０側において、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。第１保留記憶バッファおよび第２保留記憶バッファには、ハードウェア乱数であるランダムＲ（大当り判定用乱数）等のデータが記憶される。
【０１５８】
このような第１判定結果保留記憶バッファにおいては、第１始動入賞口１３への始動入賞に基づいて得られる大当り判定用乱数等の保留記憶データが記憶される。第２判定結果保留記憶バッファにおいては、第２始動入賞口１４への始動入賞に基づいて得られる大当り判定用乱数等の保留記憶データに対応する判定結果保留記憶データが記憶される。
【０１５９】
次に、ＣＰＵ５６は、乱数回路５０３やソフトウェア乱数を生成するためのカウンタから値を抽出し、それらを、第１保留記憶バッファにおける保存領域に保存（格納）する処理を実行する（Ｓ２１４）。具体的に、Ｓ２１４の処理では、大当り判定用乱数（ランダムＲ）、大当り種別判定用乱数（ランダム１）、変動パターン種別判定用乱数（ランダム２）、および、変動パターン判定用乱数（ランダム３）が保存（格納）される。以下の保留記憶に関する説明に関しては、このように第１保留記憶バッファまたは第２保留記憶バッファに前述のような始動入賞に関する情報が記憶されることを「保留記憶される」と示す場合がある。
【０１６０】
そして、ＣＰＵ５６は、検出した始動入賞に基づく変動がその後実行されたときの変動表示結果を始動入賞時に予め判定する入賞時演出処理を実行する（Ｓ２１５）。次いで、ＣＰＵ５６は、第１始動入賞指定コマンドを送信する制御を行なう（Ｓ２１６）。また、演出制御用マイクロコンピュータ１００に演出制御コマンドを送信する場合には、ＣＰＵ５６は、演出制御コマンドに応じたコマンド送信テーブル（予めＲＯＭにコマンド毎に設定されている）のアドレスをポインタにセットする。そして、演出制御コマンドに応じたコマンド送信テーブルのアドレスをポインタにセットして、演出制御コマンド制御処理（Ｓ２９）において演出制御コマンドを送信する。
【０１６１】
Ｓ２１１で第１始動口スイッチがオン状態でないと判定された場合、Ｓ２１２で第１保留記憶数が上限値に達していると判定された場合、または、Ｓ２１６で第１始動入賞指定コマンドを送信する制御を行なった後に、ＣＰＵ５６は、第２始動口スイッチ１４ａがオンしたか否かを確認する（Ｓ２２１）。第２始動口スイッチ１４ａがオンしていれば、ＣＰＵ５６は、第２保留記憶数が上限値に達しているか否か（具体的には、第２保留記憶数をカウントするための第２保留記憶数カウンタの値が４であるか否か）を確認する（Ｓ２２２）。第２保留記憶数カウンタの値が４であれば、処理を終了する。
【０１６２】
第２保留記憶数が上限値に達していなければ、ＣＰＵ５６は、第２保留記憶数カウンタの値を１増やす（Ｓ２２３）。次いで、ＣＰＵ５６は、乱数回路５０３やソフトウェア乱数を生成するためのカウンタから値を抽出し、それらを、第２保留記憶バッファにおける保存領域に保存（格納）する処理を実行する（Ｓ２２４）。
【０１６３】
そして、ＣＰＵ５６は、検出した始動入賞に基づく変動がその後実行されたときの変動表示結果を始動入賞時に予め判定する入賞時演出処理を実行する（Ｓ２２５）。次いで、ＣＰＵ５６は、第２始動入賞指定コマンドを送信する制御を行ない（Ｓ２２６）処理を終了する。
【０１６４】
図１４は、特別図柄プロセス処理における特別図柄通常処理（Ｓ３００）を示すフローチャートである。特別図柄通常処理において、ＣＰＵ５６は、第１保留記憶バッファまたは第２保留記憶バッファに保留記憶データがあるかどうかを確認する（Ｓ５１）。第１保留記憶バッファおよび第２保留記憶バッファのどちらにも保留記憶データがない場合には、処理を終了する。
【０１６５】
第１保留記憶バッファまたは第２保留記憶バッファに保留記憶データがあるときには、ＣＰＵ５６は、第２保留記憶バッファの方に保留記憶データがあるか否か確認する（Ｓ５２）。第２保留記憶バッファに保留記憶データがあれば、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５４）。一方、第２保留記憶バッファに保留記憶データがなければ、特別図柄ポインタに「第１」を示すデータを設定する（Ｓ５３）。
【０１６６】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０１６７】
Ｓ５２〜Ｓ５４の制御により、第２保留記憶バッファ内に第２保留記憶のデータが１つでも存在すれば、その第２保留記憶のデータに基づいた第２特別図柄表示器８ｂの変動表示が、第１保留記憶のデータに基づいた第１特別図柄表示器８ａの変動表示に優先して実行される。
【０１６８】
次いで、ＣＰＵ５６は、ＲＡＭ５５において、特別図柄ポインタが示す方の保留記憶数＝１に対応する保存領域に格納されている各乱数値を読出してＲＡＭ５５の保留記憶バッファに格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の保留記憶バッファに格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の保留記憶バッファに格納する。
【０１６９】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける各保存領域の内容をシフトする。
【０１７０】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。
【０１７１】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。
【０１７２】
また、ＣＰＵ５６は、減算後の特別図柄ポインタが示す方の保留記憶数カウンタの値に基づいて、特別図柄ポインタが示す方の保留記憶数指定コマンドを演出制御用マイクロコンピュータ１００に送信する制御を行なう（Ｓ５９）。この場合、特別図柄ポインタに「第１」を示す値が設定されている場合には、ＣＰＵ５６は、第１保留記憶数指定コマンドを送信する制御を行なう。また、特別図柄ポインタに「第２」を示す値が設定されている場合には、ＣＰＵ５６は、第２保留記憶数指定コマンドを送信する制御を行なう。
【０１７３】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０１７４】
次いで、ＣＰＵ５６は、保留記憶バッファからランダムＲ（大当り判定用乱数）を読出し、大当り判定モジュールを実行する（Ｓ６０）。なお、この場合、ＣＰＵ５６は、始動口スイッチ通過処理のＳ２１４や始動口スイッチ通過処理のＳ２２４で抽出し第１保留記憶バッファや第２保留記憶バッファに予め格納した大当り判定用乱数を読出し、大当り判定を行なう。大当り判定モジュールは、予め決められている大当り判定値（図５参照）と大当り判定用乱数とを比較し、それらが一致したら大当りとすることに決定する処理を実行するプログラムである。すなわち、大当り判定の処理を実行するプログラムである。
【０１７５】
大当り判定の処理では、遊技状態が確変状態（高確率状態）の場合は、遊技状態が非確変状態（通常遊技状態および時短状態）の場合よりも、大当りとなる確率が高くなるように構成されている。具体的には、予め大当り判定値の数が多く設定されている確変時大当り判定テーブル（ＲＯＭ５４における図５（Ａ）の右側の数値が設定されているテーブル）と、大当り判定値の数が確変時大当り判定テーブルよりも少なく設定されている通常時大当り判定テーブル（ＲＯＭ５４における図５（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当りの判定の処理を行ない、遊技状態が通常遊態や時短状態であるときは、通常時大当り判定テーブルを使用して大当りの判定の処理を行なう。すなわち、ＣＰＵ５６は、大当り判定用乱数（ランダムＲ）の値が図５（Ａ）に示すいずれかの大当り判定値に一致すると、特別図柄に関して大当りとすることに決定する。大当りとすることに決定した場合には（Ｓ６０）、Ｓ７１に移行する。なお、大当りとするか否か決定するということは、大当り遊技状態に移行させるか否か決定するということであるが、特別図柄表示器における停止図柄を大当り図柄とするか否か決定するということでもある。
【０１７６】
なお、現在の遊技状態が確変状態であるか否かの確認は、確変フラグがセットされているか否かにより行なわれる。確変フラグは、遊技状態を確変状態に移行するときにセットされ、確変状態を終了するときにリセットされる。具体的に、確変フラグは、大当り遊技を終了する処理においてセットされ、その後、所定回数（１００回）の変動表示が行なわれたという条件と、次回の大当りが決定されたという条件といずれか早い方の条件が成立したときに、特別図柄の変動表示を終了して停止図柄を停止表示するタイミングでリセットされる。
【０１７７】
大当り判定用乱数（ランダムＲ）の値がいずれの大当り判定値にも一致しなければ（Ｓ６０のＮ）、後述するＳ７５に進む。
【０１７８】
Ｓ６０において大当り判定用乱数（ランダムＲ）の値がいずれかの大当り判定値に一致すればＣＰＵ５６は、大当りであることを示す大当りフラグをセットする（Ｓ７１）。なお、大当りフラグは、大当り遊技が終了するときにリセットされる。そして、大当り種別を複数種類のうちのいずれかに決定するために使用するテーブルとして、図５（Ｂ）の第１特別図柄大当り種別判定用テーブルおよび図５（Ｃ）の第２特別図柄大当り種別判定用テーブルのうち、いずれかのテーブルを選択する（Ｓ７２）。具体的に、ＣＰＵ５６は、特別図柄ポインタが「第１」を示している場合には、図５（Ｂ）に示す第１特別図柄大当り種別判定用テーブルを選択する。
【０１７９】
また、ＣＰＵ５６は、特別図柄ポインタが「第２」を示している場合において、図５（Ｃ）の第２特別図柄大当り種別判定用テーブルを選択する。
【０１８０】
次いで、ＣＰＵ５６は、始動口スイッチ通過処理で抽出し第１保留記憶バッファや第２保留記憶バッファに予め格納した大当り種別判定用乱数を読出し、Ｓ７２で選択した大当り種別判定テーブルを用いて、保留記憶バッファに格納された大当り種別判定用の乱数（ランダム１）の値と一致する値に対応した大当り種別および大当り図柄を決定する（Ｓ７３）。
【０１８１】
図５（Ｂ），（Ｃ）に示すように、第１特別図柄および第２特別図柄については、大当り種別ごとに大当り図柄が異なるように大当り種別と大当り図柄との関係が設定されており、大当り種別と大当り図柄とが同時に決定されるので、大当り図柄と、大当り種別に応じた遊技制御との対応関係が単純化するため、遊技制御の複雑化を防ぐことができる。
【０１８２】
また、ＣＰＵ５６は、決定した大当りの種別を示大当り種別データをＲＡＭ５５における大当り種別バッファに設定する（Ｓ７４）。たとえば、大当り種別が「通常大当り」の場合には、大当り種別データとして「０１」が設定される。大当り種別が「確変大当り」の場合には、大当り種別データとして「０２」が設定される。
【０１８３】
次いで、ＣＰＵ５６は、特別図柄の停止図柄を設定する（Ｓ７５）。具体的には、大当りフラグがセットされていない場合には、はずれ図柄となる「−」を特別図柄の停止図柄として設定する。大当りフラグがセットされている場合には、大当り種別の決定結果に応じて、Ｓ７３により決定された大当り図柄を特別図柄の停止図柄に設定する。すなわち、大当り種別が「通常大当り」に決定されたときには「３」を特別図柄の停止図柄に設定する。大当り種別が「確変大当り」に決定した場合には「７」を特別図柄の停止図柄に決定する。
【０１８４】
そして、特別図柄プロセスフラグの値を変動パターン設定処理（Ｓ３０１）に対応した値に更新する（Ｓ７６）。
【０１８５】
図１５は、特別図柄プロセス処理における変動パターン設定処理（Ｓ３０１）を示すフローチャートである。
【０１８６】
変動パターン設定処理において、ＣＰＵ５６は、大当りフラグがセットされているか否か確認する（Ｓ９１）。大当りフラグがセットされている場合は、大当りとすることが決定されているときであり、ＣＰＵ５６は、Ｓ７４で記憶された大当り種別情報と、非時短状態と時短状態とのうちどの状態にあるかを示す時短情報とに応じて、変動パターン種別および変動パターンを決定するために使用するテーブルとして、前述した判定テーブルの選択条件に基づいて、図９および図１０に示す、はずれ時第１判定テーブル、はずれ時第２判定テーブル、通常大当り時判定テーブル、および、確変大当り時判定テーブルのうちいずれかを選択する。
【０１８７】
ここで、時短情報は、時短状態であるか否かを示す情報である。時短情報は、時短フラグがセットされているときには、時短状態であることを示し、時短フラグがセットされていないときには、非時短状態であることが示される。
【０１８８】
Ｓ９１で大当りフラグがセットされているときは、Ｓ７４で記憶された大当り種別データに基づいて、大当りが確変大当りであるか否かを確認する（Ｓ９２）。確変大当りであるときは、図１０（ｂ）の確変大当り時判定テーブルを選択し（Ｓ９３）、Ｓ１１４に進む。一方、通常大当りであるときは、図１０（ａ）の通常大当り時判定テーブルを選択し（Ｓ９４）、Ｓ１１４に進む。
【０１８９】
また、Ｓ９１で大当りフラグがセットされていないとき、すなわち、はずれのときは、時短フラグがセットされているか否かを確認する（Ｓ９５）。時短フラグがセットされていないときは、図９（ａ）のはずれ時第１判定テーブルを選択し（Ｓ９６）、Ｓ１１４に進む。一方、時短フラグがセットされているときは、図９（ｂ）のはずれ時第２判定テーブルを選択し（Ｓ９７）、Ｓ１１４に進む。
【０１９０】
これにより、遊技状態に応じて、変動パターン種別および変動パターンを決定するために使用するテーブルとして、前述したような判定テーブルの選択条件に基づいて、図９および図１０に示されるはずれ時第１判定テーブル、はずれ時第２判定テーブル、通常大当り時判定テーブル、および、確変大当り時判定テーブルのうちいずれかが選択される。
【０１９１】
次いで、Ｓ１１４において、ＣＰＵ５６は、保留記憶バッファ（第１保留記憶バッファまたは第２保留記憶バッファ）からランダム２（変動パターン種別判定用乱数）を読出し、Ｓ９３，Ｓ９４，Ｓ９６またはＳ９７の処理で選択した判定テーブルにおける変動パターン種別判定テーブル部のデータを参照することによって、変動パターン種別を複数種類のうちのいずれかに決定する（Ｓ１１４）。
【０１９２】
次いで、ＣＰＵ５６は、保留記憶バッファ（第１保留記憶バッファまたは第２保留記憶バッファ）からランダム３（変動パターン判定用乱数）を読出し、Ｓ９３，Ｓ９４，Ｓ９６またはＳ９７の処理で選択した判定テーブルにおいて、変動パターン判定テーブル部におけるＳ１１４で決定した変動パターン種別に関するデータを参照することによって、変動パターンを複数種類のうちのいずれかに決定する（Ｓ１１５）。
【０１９３】
次いで、決定した変動パターンに対応する演出制御コマンド（変動パターンコマンド）を、演出制御用マイクロコンピュータ１００に送信する制御を行なう（Ｓ１１６）。
【０１９４】
また、特別図柄の変動を開始する（Ｓ１１７）。たとえば、Ｓ３２の特別図柄表示制御処理で参照される特別図柄に対応した開始フラグをセットすることにより、第１特別図柄表示器８ａまたは第２特別図柄表示器８ｂにおいて、前述のように変動表示を開始させる。特別図柄ポインタに「第１」を示すデータが設定されている場合には第１特別図柄表示器８ａでの第１特別図柄の変動表示を開始させ、特別図柄ポインタに「第２」を示すデータが設定されている場合には第２特別図柄表示器８ｂでの第２特別図柄の変動表示を開始させる。また、ＲＡＭ５５に形成されている変動時間タイマに、選択された変動パターンに対応した変動時間に応じた値を設定する（Ｓ１１８）。そして、特別図柄プロセスフラグの値を表示結果指定コマンド送信処理（Ｓ３０２）に対応した値に更新する（Ｓ１１９）。
【０１９５】
前述した表示結果指定コマンド送信処理（Ｓ３０２）においては、ＣＰＵ５６が、決定されている大当りの種類、または、はずれに応じて、表示結果を指定する表示結果１指定〜表示結果３指定コマンドのいずれかの演出制御コマンド（図６参照）を送信する制御を行なう。
【０１９６】
また、前述した特別図柄変動中処理（Ｓ３０３）においては、ＣＰＵ５６は、変動時間タイマを１減算し、変動時間タイマがタイムアウトしたら、特別図柄プロセスフラグの値を特別図柄停止処理（Ｓ３０４）に対応した値に更新し、特別図柄停止処理に進む。
【０１９７】
変動表示の結果、大当りとなるときには、大入賞口開放前処理（Ｓ３０５）、大入賞口開放中処理（Ｓ３０６）、および、大当り終了処理（Ｓ３０７）が実行されることにより、大当り遊技状態に制御される。大当り終了処理（Ｓ３０７）において、確変大当りの終了時には、確変フラグおよび時短フラグがセットされ、通常大当りの終了時には、時短フラグがセットされる。これにより、確変大当りの終了後には、確変状態および時短状態に制御され、通常大当りの終了後には、時短状態に制御される。
【０１９８】
通常大当り後の時短状態は、変動表示が１００回実行されるまでと、次の大当りが発生するまでとのいずれかの条件が成立するまで継続させる必要がある。このような変動表示１００回という継続期間は、大当り終了処理（Ｓ３０７）において、時短状態における特別図柄の変動可能回数を示す時短回数カウンタを１００回にセットし、その後に変動表示が実行されるごとに特別図柄停止処理で減算更新することにより管理され、時短回数カウンタがカウントアップしたことに基づいて、時短フラグがリセットされることにより、時短状態を終了させる制御が行なわれる。
【０１９９】
次に、演出制御用マイクロコンピュータ１００の動作を説明する。図１６は、演出制御基板８０に搭載されている演出制御用マイクロコンピュータ１００（具体的には、演出制御用ＣＰＵ１０１）が実行する演出制御メイン処理を示すフローチャートである。
【０２００】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０２０１】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理（たとえば、ＲＡＭ１０２に設けられた各種コマンド格納領域に受信したコマンドを特定可能なデータを格納する処理等）等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０２０２】
次いで、演出制御用マイクロコンピュータ１００が用いる乱数（演出図柄の左停止図柄決定用のＳＲ１−１、演出図柄の中停止図柄決定用のＳＲ１−２、演出図柄の右停止図柄決定用のＳＲ１−３、図柄変化示唆演出決定用のＳＲ２、および、図柄変化演出決定用のＳＲ３を含む各種乱数）を生成するためのカウンタのカウント値を更新する乱数更新処理を実行する（Ｓ７０６）。このような乱数ＳＲ１−１〜ＳＲ３のそれぞれは、ソフトウェアによりカウント値を更新するランダムカウンタのカウントにより生成されるものであり、それぞれについて予め定められた範囲内でそれぞれ巡回更新され、それぞれについて定められたタイミングで抽出されることにより乱数として用いられる。
【０２０３】
また、第１保留記憶表示部１８ｃおよび第２保留記憶表示部１８ｄの表示状態の制御を行なう保留記憶表示制御処理を実行する（Ｓ７０７）。具体的に、前述の第１保留記憶数記憶領域に記憶された第１保留記憶数のデータに対応して第１保留記憶表示部１８ｃにおいて第１保留記憶数を表示する制御を行なう。また、前述の第２保留記憶数記憶領域に記憶された第２保留記憶数のデータに対応して第２保留記憶表示部１８ｄにおいて第２保留記憶数を表示する制御を行なう。その後、Ｓ７０２に移行する。
【０２０４】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７Ｌ，２７Ｒ等の演出装置を制御することにより、遊技状態に応じた各種の演出制御が行なわれる。
【０２０５】
図１７は、演出制御基板で用いる乱数を示す図である。ＳＲ１−１〜ＳＲ１−３は、演出図柄の変動表示結果である停止図柄として、演出表示装置９の表示領域における「左」、「中」、「右」の各図柄表示エリアに停止表示される演出図柄（最終停止図柄）を決定するために用いられる乱数である。なお、最終停止図柄は、演出図柄の変動表示が終了する時点で「左」、「中」、「右」の図柄表示エリアそれぞれにおいて最終的に停止表示される３つの演出図柄のことである。なお、演出図柄の大当り図柄の組合せは、ＳＲ１−１〜ＳＲ１−３のうちのいずれか１個の乱数によって決定される。
【０２０６】
図柄変化示唆演出決定用乱数ＳＲ２は、後述する図２０の擬似連示唆演出決定用テーブルに示すように、図柄変化示唆演出において、図柄変化示唆演出時のキャラクタ数を決定するために用いる乱数である。また、図柄変化演出決定用乱数ＳＲ３は、後述する図２０の擬似連示唆演出決定用テーブルに示すように、図柄変化演出において、図柄変化演出時の擬似連図柄からの図柄差を決定するために用いる乱数である。
【０２０７】
ＳＲ１−１〜ＳＲ３のそれぞれはＳ７０６の乱数更新処理において予め定められたタイミングで、図中に示された計数範囲内において繰返し加算更新される。たとえば、ＳＲ１−１が３３ｍｓｅｃごと、ＳＲ１−２がＳＲ１−１の桁上げごと、ＳＲ１−３がＳＲ１−２の桁上げごとにそれぞれ加算更新され、０から更新されてその上限である９まで更新された後再度０から更新される。
【０２０８】
図１８は、図１６に示された演出制御メイン処理における演出制御プロセス処理（Ｓ７０５）を示すフローチャートである。演出制御プロセス処理では、演出制御用ＣＰＵ１０１は、演出制御プロセスフラグの値に応じてＳ８００〜Ｓ８０７のうちのいずれかの処理を行なう。各処理において、以下のような処理を実行する。なお、演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０２０９】
変動パターンコマンド受信待ち処理（Ｓ８００）は、遊技制御用マイクロコンピュータ５６０から変動パターンコマンドを受信しているか否か確認する処理等を行なう処理である。変動パターンコマンドを受信していれば、演出図柄変動開始処理に移行する。
【０２１０】
演出図柄変動開始処理（Ｓ８０１）は、演出図柄（飾り図柄）の変動表示が開始されるように制御するための処理である。演出図柄変動中処理（Ｓ８０２）は、変動パターンを構成する各変動状態（変動速度）の切替えタイミングを制御する処理等を行なう処理である。演出図柄変動停止処理（Ｓ８０３）は、演出図柄（飾り図柄）の変動表示を停止し、変動表示の表示結果（最終停止図柄）を導出表示する制御を行なう処理である。
【０２１１】
大当り表示処理（Ｓ８０４）は、変動時間の終了後、演出表示装置９に大当りの発生を報知するためのファンファーレ演出を表示する制御等の表示制御を行なう処理である。ラウンド中処理（Ｓ８０５）は、ラウンド中の表示制御を行なう処理である。ラウンド終了条件が成立したときに、最終ラウンドが終了していなければ、ラウンド後処理に移行し、最終ラウンドが終了していれば、大当り終了処理に移行する。ラウンド後処理（Ｓ８０６）は、ラウンド間の表示制御を行なう処理である。ラウンド開始条件が成立したら、ラウンド中処理に移行する。大当り終了演出処理（Ｓ８０７）は、演出表示装置９において、大当り遊技状態が終了したことを遊技者に報知する表示制御を行なう処理である。
【０２１２】
演出制御用ＣＰＵ１０１は、変動表示の開始時から変動表示の停止時まで、および、大当り遊技状態の開始時から大当り遊技状態の終了時までの予め定められた演出制御期間中において、ＲＯＭ１０２に格納されたプロセステーブルに設定されているプロセスデータにしたがって演出表示装置９等の演出装置（演出用部品）の制御を行なう。
【０２１３】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。このようなプロセステーブルは、各変動パターンに応じて用意されている。
【０２１４】
図１９は、演出制御プロセス処理における演出図柄変動開始処理（Ｓ８０１）を示すフローチャートである。演出図柄変動開始処理において、演出制御用ＣＰＵ１０１は、次のような処理を行なう。
【０２１５】
演出図柄変動開始処理においては、変動表示結果をはずれとすることに決定されているか否か確認する（Ｓ５００）。はずれとすることに決定されているか否かは、たとえば、表示結果特定コマンド格納領域に表示結果１指定コマンドが格納されているか否かによって判定される。はずれとすることに決定されている場合には、変動パターンコマンドとして、非リーチ変動パターンに対応したコマンドを受信したか否か確認する（Ｓ５０１）。非リーチ変動パターンに対応したコマンドを受信したか否かは、たとえば、変動パターンコマンド格納領域に格納されているデータによって判定される。
【０２１６】
非リーチ変動パターンに対応したコマンドを受信したと判定した場合、ＲＯＭ１０２に格納されたはずれ図柄決定用データテーブルを用いて、リーチにならないはずれの表示結果を演出図柄の最終停止として決定し（Ｓ５０３）、Ｓ５０７へ進む。はずれ図柄決定用データテーブルでは、複数種類の演出図柄のそれぞれに、ＳＲ１−１〜ＳＲ１−３のそれぞれの数値データが対応付けられている。
【０２１７】
Ｓ５０３の処理では、所定のタイミングでＳＲ１−１〜ＳＲ１−３のそれぞれから数値データ（乱数）を抽出し、はずれ図柄決定用データテーブルを用い、抽出した数値データに対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然大当り図柄の組合せと一致する場合には、はずれ図柄の組合せとなるように補正（たとえば、右図柄を１図柄ずらす補正）して各停止図柄が決定される。また、抽出された乱数に対応する停止図柄が偶然リーチ図柄となってしまう場合には、非リーチはずれ図柄の組合せとなるように補正（たとえば、右図柄を１図柄ずらす補正）して各停止図柄が決定される。
【０２１８】
Ｓ５０１の処理で非リーチ変動パターンではないと判定した場合（リーチ変動パターンであると判定した場合）は、リーチ図柄の組合せを構成する演出図柄の停止図柄を決定し（Ｓ５０４）、Ｓ５０７へ進む。Ｓ５０４の処理では、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する左，右の各演出図柄の停止図柄として決定され、ＳＲ１−２から抽出されたカウンタの値と合致する乱数に対応する図柄が中図柄の停止図柄として決定される。また、この場合も、偶然大当り図柄の組合せとなってしまうときには、はずれ図柄の組合せとなるように補正（たとえば、中図柄を１図柄ずらす補正）して各停止図柄が決定される。
【０２１９】
また、Ｓ５００の処理ではずれとすることに決定されていない場合（大当りとすることが決定された場合）に（Ｓ５０１）、演出制御用ＣＰＵ１０１は、大当りの種別に応じて、大当り図柄の組合せを構成する演出図柄の停止図柄を決定し（Ｓ５０２）、Ｓ５０７へ進む。
【０２２０】
Ｓ５０２では、次のように大当りの種別に応じて当り図柄の組合せを決定する。表示結果２指定コマンドと表示結果３指定コマンドとのうちのどの表示結果指定コマンドが表示結果特定コマンド格納領域に格納されているかに基づいて、確変大当りと、通常大当りとのうちから、大当りの種別を判定し、確変大当りにすることに決定されていると判定したときには、所定のタイミングでＳＲ１−１から数値データ（乱数）を抽出し、ＳＲ１−１と確変大当り図柄の組合せ（たとえば、左，中，右が「７，７，７」等の奇数のゾロ目の組合せ）との関係が設定されたデータテーブル（確変大当り図柄決定用テーブル）を用いて、抽出値からいずれかの確変大当り図柄の組合せを選択決定する。また、通常大当りにすることに決定されていると判定したときには、所定のタイミングでＳＲ１−１から数値データ（乱数）を抽出し、ＳＲ１−１と通常大当り図柄の組合せ（たとえば、左，中，右が「４，４，４」等の偶数のゾロ目の組合せ）との関係が設定されたデータテーブル（通常大当り図柄決定用テーブル）を用いて、抽出値からいずれかの通常大当り図柄の組合せを選択決定する。このように決定された図柄が大当り遊技状態に制御される前の変動表示結果である最終停止図柄として用いられる。
【０２２１】
次に、変動表示における各種演出を設定するための処理（たとえば、擬似連示唆演出の内容の決定等の処理）を行なう演出設定処理（Ｓ５０７）を実行した後、Ｓ５０８に進む。演出設定処理の処理内容については、図２１，２２を用いて後述する。
【０２２２】
Ｓ５０８では、演出制御パターンを複数種類の演出制御パターンのうちのいずれかに決定する（Ｓ５０８）。Ｓ５０８においては、変動パターン指定コマンドによって指定された変動パターン、および、Ｓ５０７の処理で決定した演出の演出制御パターン等により指定された各種演出制御（演出動作）パターンに応じて、図柄変動制御パターンテーブルに格納されている複数種類の図柄変動制御パターンのうち、指定された各種演出動作パターンに対応するいずれかの演出制御パターンを使用パターンとして選択決定する。
【０２２３】
ＲＯＭ１０２に記憶されている制御パターンテーブルには、たとえば、演出図柄の変動が開始されてから最終停止図柄となる確定演出図柄が停止表示されるまでの期間における、演出表示装置９の表示領域における演出図柄の変動表示動作、リーチ演出における演出表示動作、擬似連の演出による演出表示動作、および、予告演出における演出表示動作における演出表示動作といった各種の演出動作の制御内容を示すデータが、図柄変動制御パターンとして複数種類格納されている。
【０２２４】
また、各図柄変動制御パターンは、たとえば、演出制御プロセスタイマ設定値、演出制御プロセスタイマ判定値、演出表示制御データ、音声制御データ、ランプ制御データ、および、終了コードといった、演出図柄の変動表示に応じた各種の演出動作を制御するための制御データを含み、時系列的に、各種の演出制御の内容、および、演出制御の切替えタイミング等が設定されている。
【０２２５】
次いで、Ｓ５０８で選択した演出制御パターンに応じたプロセステーブルを選択する（Ｓ５０９）。そして、選択したプロセステーブルのプロセスデータ１におけるプロセスタイマ（演出設定プロセスタイマ）をスタートさせる（Ｓ５１０）。
【０２２６】
Ｓ５１０の処理を実行したら、プロセスデータ１の内容（表示制御実行データ１、ランプ制御実行データ１、音番号データ１）にしたがって演出装置（演出用部品としての演出表示装置９、演出用部品としての各種ランプ、および、演出用部品としてのスピーカ２７）の制御を開始する（Ｓ５１１）。たとえば、表示制御実行データにしたがって、演出表示装置９において変動パターンに応じた画像（演出図柄を含む。）を表示させるために、ＶＤＰ１０９に指令を出力する。また、各種ＬＥＤ等の発光体を点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。
【０２２７】
そして、変動時間タイマに、変動パターンコマンドで特定される変動時間に相当する値を設定し（Ｓ５１２）、演出制御プロセスフラグの値を演出図柄変動中処理（Ｓ８０２）に対応した値にし、演出図柄変動開始処理を実行する（Ｓ５１３）。そして、演出図柄変動開始処理が終了する。
【０２２８】
図２０は、擬似連示唆演出決定用テーブルを示す説明図である。図２０の（ａ）には、成功結果の場合の擬似連示唆演出決定用テーブル、図２０の（ｂ）には、失敗結果の場合の擬似連示唆演出決定用テーブルが示されている。ここで、成功結果とは、前述したように擬似連示唆演出が実行された後に、擬似連再変動演出が実行される場合（擬似連再変動演出を実行することに成功した場合）に表示される演出結果をいう。失敗結果とは、擬似連示唆演出が実行された後に、リーチ演出が実行される場合（擬似連再変動演出を実行することに失敗してリーチ演出を実行する場合）に表示される演出結果をいう。図２０（ａ），（ｂ）の各判定テーブルは、ＲＯＭ１０２に記憶されており、演出設定処理において図柄変化示唆演出時のキャラクタ数および図柄変化演出時の擬似連図柄からの図柄差を決定するために用いられる。
【０２２９】
ここで、成功結果・失敗結果は、擬似連示唆演出が複数回実行されるときは、最終的に実行された擬似連示唆演出が成功結果となるか失敗結果となるかに基づいて決定される。具体的には、図１０のスーパーリーチＨとスーパーリーチＪとを比較すると、スーパーリーチＨの場合は、１回目の擬似連示唆演出が実行され、その後１回目の擬似連再変動演出が実行され、その後２回目の擬似連示唆演出が実行された後に、２回目の擬似連再変動演出が実行されずに特定リーチ演出が実行されているので、２回目の擬似連再変動演出が最終的に実行された擬似連示唆演出となる。よって、最終的な擬似連示唆演出の後は、擬似連再変動演出が実行されずに特定リーチ演出が実行されるので、失敗結果となる。また、スーパーリーチＪの場合は、１回目の擬似連示唆演出が実行され、その後１回目の擬似連再変動演出が実行され、その後２回目の擬似連示唆演出が実行された後に、２回目の擬似連再変動演出が実行された後に、特定リーチ演出が実行されているので、２回目の擬似連再変動演出が最終的に実行された擬似連示唆演出となる。よって、最終的な擬似連示唆演出の後は、擬似連再変動演出が実行されて特定リーチ演出が実行されるので、成功結果となる。
【０２３０】
図２０に示す擬似連示唆演出決定用テーブルは、図柄変化示唆演出決定用テーブルと、図柄変化演出決定用テーブルとを含む。図柄変化示唆演出決定用テーブルは、図柄変化示唆演出時に表示するキャラクタ数と図柄変化示唆演出決定用乱数ＳＲ２との関係を示すテーブルである。図柄変化演出決定用テーブルは、図柄変化演出時に当初表示される中図柄の擬似連図柄からの図柄差と図柄変化演出決定用乱数ＳＲ３との関係を示すテーブルである。
【０２３１】
図２０のテーブルで「図柄変化示唆演出時のキャラクタ数」および「図柄変化示唆演出決定用乱数ＳＲ２」という記載がされた欄は、「図柄変化示唆演出時のキャラクタ数」と「図柄変化示唆演出決定用乱数ＳＲ２」との関係を示す図柄変化示唆演出決定用テーブル部としての機能を示す欄である。ここで、図柄変化示唆演出時のキャラクタ数とは、図柄変化示唆演出時に表示されるキャラクタ数を示している。
【０２３２】
本実施の形態の場合は１〜３のいずれかの数のキャラクタ数が選択される。図２０（ａ），（ｂ）の図柄変化示唆演出決定用テーブル部に示されるように、成功結果の場合には、失敗結果の場合と比べて多いキャラクタ数が選択されやすく、失敗結果の場合には、成功結果の場合と比べて少ないキャラクタ数が選択されやすいように乱数ＳＲ２とキャラクタ数との関係が設定されている。これにより、図柄変化示唆演出において登場して表示されるキャラクタ数が多くなるにしたがって、擬似連示唆演出において成功・失敗演出が成功結果となる割合が高くなるようにする制御が行なわれる。なお、キャラクタ数が多いと見た目上キャラクタが多く乗った図柄が重くなり、滑るイメージが高いので、キャラクタ数が多い場合の方がキャラクタ数が少ない場合よりも成功結果となる割合を高くしている。
【０２３３】
また、図２０のテーブルで「図柄変化演出時の擬似連図柄からの図柄差」および「図柄変化演出決定用乱数ＳＲ３」という記載がされた欄は、「図柄変化演出時の擬似連図柄からの図柄差」と「図柄変化演出決定用乱数ＳＲ３」との関係を示す図柄変化示演出決定用テーブル部としての機能を示す欄である。
【０２３４】
ここで、図柄変化演出時の擬似連図柄からの図柄差とは、たとえば擬似連図柄が「６６７」であった場合に、擬似連示唆演出時の当初に表示されキャラクタが乗る演出図柄（中図柄）と、擬似連出目の演出図柄との図柄配列上での差数をいう。
【０２３５】
変動表示される複数種類の演出図柄には、それぞれに対応した図柄番号が付されている。一例として、左，中，右演出図柄のそれぞれは、「０」〜「９」を示す数字の図柄よりなる。「０」〜「９」の図柄のそれぞれには、「０」〜「９」の図柄配列番号が付されている。左，中，右の演出図柄の変動中には、左，中，右の各演出図柄が、左，中，右の図柄表示領域において、たとえば図柄配列番号が小さいものから大きいものへと順番に選択されて、上から下へ流れるようなスクロール表示が行なわれる。当該スクロール表示においては、図柄配列番号が最大値（たとえば「９」）である演出図柄が表示されると、続いて図柄番号が最小値（たとえば「０」）である演出図柄が表示されることにより、「０」〜「９」を示す演出図柄が、繰返し巡回するような態様で表示される。
【０２３６】
演出制御用マイクロコンピュータ１００においては、このように配列された演出図柄について、リーチ演出時および表示結果導出演出時等の各種演出表示時において、停止または仮停止させる図柄配列番号を指定することにより、指定した種類の図柄を停止または仮停止する制御が行なわれる。
【０２３７】
たとえば擬似連出目の図柄の組合せが「６６７」であるときにキャラクタが中図柄に乗る場合は、擬似連出目の中図柄が「６」であるので、図柄差が「３」とは、「３」図柄または、「９」図柄を示す。また、擬似連出目の中図柄が「６」である場合の図柄差が「２」とは、「４」図柄または、「８」図柄を示す。さらに、また、擬似連出目の中図柄が「６」である場合の図柄差が「１」とは、「５」図柄または、「７」図柄を示す。
【０２３８】
本実施の形態の場合は、成功結果の場合には、失敗結果の場合と比べて小さい図柄差が選択されやすく、失敗結果の場合には、成功結果の場合と比べて大きい図柄差が選択されやすいように乱数ＳＲ３と図柄差との関係が設定されている。これにより、図柄変化演出において当初に表示される中図柄の擬似連出目の図柄からの図柄差が少なくなるにしたがって、擬似連示唆演出において成功・失敗演出が成功結果となる割合が高くなるようにする制御が行なわれる。なお、図柄差が小さいと擬似連出目から近いので、擬似連出目が出やすいイメージが高くなる。よって、図柄差が小さい場合の方が図柄差が大きい場合よりも成功結果となる割合を高くしている。
【０２３９】
また、図２０（ａ），（ｂ）の図柄変化示演出決定用テーブル部に示されるように、前述のようにキャラクタ数が決定されたときに、決定されたキャラクタ数に応じて乱数ＳＲ３に基づく選択割合が設定された１〜３の図柄差のうちいずれかの図柄差が選択される。そして、図２０（ａ），（ｂ）の図柄変化示演出決定用テーブル部に示されるように、成功結果の場合には、選択されたキャラクタ数が多い程小さい図柄差が選択されやすく、失敗結果の場合には、選択されたキャラクタ数が多い程大きい図柄差が選択されやすいように乱数ＳＲ３と図柄差との関係が設定されている。
【０２４０】
このように、図柄変化演出と図柄変化示唆演出との関係は、図柄変化示唆演出で登場するキャラクタの数に応じて成功結果となる割合が異なり、さらに、図柄変化演出時での変化前（演出当初）に表示される中図柄の擬似連出目からの図柄差数に応じて成功結果となる割合が異なる。このような関係があるので、図柄変化示唆演出で登場するキャラクタの数に応じて図柄変化演出時当初の図柄差数がどのようになるかということに遊技者が期待するようにすることができる。
【０２４１】
図２１および図２２は、前述の演出設定処理（Ｓ５０７）を示すフローチャートである。演出設定処理においては、まず、演出制御用ＣＰＵ１０１は、受信した演出制御コマンドにより指定された変動パターンが擬似連再変動演出ありの変動パターンであるか否かを確認する（Ｓ６０１）。具体的に、Ｓ６０１では、ＲＡＭ１０２に設けられた変動パターンコマンド格納領域（変動表示を実行するにあたり受信した変動パターンコマンドがコマンド解析処理により格納される領域）に、擬似連再変動演出を行なうスーパーリーチＥ〜Ｌのいずれかを指定する変動パターンコマンドが格納されているか否かに基づいて、変動パターンが擬似連再変動演出ありの変動パターンであるか否かを確認する。
【０２４２】
Ｓ６０１において擬似連再変動演出なしの変動パターンである場合（Ｓ６０１のＮ）、演出制御用ＣＰＵ１０１は、受信した変動パターンが指定する演出内容に基づいて、その変動パターンが、擬似連示唆演出ありか否かを確認する（Ｓ６１２）。
【０２４３】
Ｓ６１２において、擬似連示唆演出なしの場合（Ｓ６１２のＮ）には、演出制御用ＣＰＵ１０１は、擬似連再変動演出なし、かつ、擬似連示唆演出なしの変動パターンにより演出を実行することに決定する（Ｓ６１７）。そして、処理を終了する。一方、擬似連示唆演出ありの場合（Ｓ６１２のＹ）には、擬似連再変動演出なし、かつ、擬似連示唆演出ありで、最終的な擬似連示唆演出が失敗結果となるスーパーリーチＣ，Ｄの変動パターンに該当するので、演出制御用ＣＰＵ１０１は、図２０（ｂ）に示す失敗結果の場合の擬似連示唆演出決定テーブルを選択する（Ｓ６１３）。次いで、演出制御用ＣＰＵ１０１は、図柄変化示唆演出決定用乱数（ＳＲ２）を抽出し、その抽出値に基づいて、図柄変化示唆演出に用いるキャラクタ数を決定する（Ｓ６１４）。次いで、演出制御用ＣＰＵ１０１は、図柄変化演出決定用乱数（ＳＲ３）を抽出し、その抽出値に基づいて、図柄変化演出開始時での擬似連図柄からの図柄差（中図柄の図柄差）を決定する（Ｓ６１５）。次いで、演出制御用ＣＰＵ１０１は、擬似連再変動演出なしでＳ６１４，Ｓ６１５で決定された内容により擬似連示唆演出を実行することに決定する（Ｓ６１６）。そして、処理を終了する。
【０２４４】
Ｓ６０１において、擬似連再変動演出ありの変動パターンである場合（Ｓ６０１のＹ）、演出制御用ＣＰＵ１０１は、受信した変動パターンが指定する演出内容に基づいて、その変動パターンが、擬似連再変動演出回数（合計回数）は１回であるか否かを確認する（Ｓ６０２）。擬似連再変動演出回数が１回である場合（Ｓ６０２のＹ）、演出制御用ＣＰＵ１０１は、受信した変動パターンが指定する演出内容に基づいて、その変動パターンが、擬似連再変動演出１回のみ実行後に擬似連示唆演出ありの変動パターンであるか否かを確認する（Ｓ６０３）。
【０２４５】
擬似連再変動演出１回のみ実行後に擬似連示唆演出ありの場合（Ｓ６０３のＹ）には、擬似連再変動演出が１回のみ、かつ、２回の擬似連示唆演出ありで、最終的な２回目の擬似連示唆演出が失敗結果となるスーパーリーチＧ，Ｈの変動パターンに該当するので、演出制御用ＣＰＵ１０１は、図２０（ｂ）に示す失敗結果の場合の擬似連示唆演出決定テーブルを選択する（Ｓ６０４）。次いで、演出制御用ＣＰＵ１０１は、図柄変化示唆演出決定用乱数（ＳＲ２）を抽出し、その抽出値に基づいて、キャラクタ数を決定する（Ｓ６０５）。次いで、演出制御用ＣＰＵ１０１は、図柄変化演出決定用乱数（ＳＲ３）を抽出し、その抽出値に基づいて、図柄変化演出開始時での擬似連図柄からの図柄差（中図柄の図柄差）を決定する（Ｓ６０６）。次いで、演出制御用ＣＰＵ１０１は、擬似連再変動演出を１回のみ実行し、Ｓ６０５，Ｓ６０６で決定された内容により１回目および２回目の擬似連示唆演出で同様の演出を実行することに決定する（Ｓ６０７）。そして、処理を終了する。
【０２４６】
なお、同様の演出とは、擬似連示唆演出の中で行なわれる演出のことである。失敗結果となるスーパーリーチＧ，Ｈでは、１回目の図柄変化示唆演出で表示されるキャラクタ数と２回目の図柄変化示唆演出で表示されるキャラクタ数とが同じになり、１回目の図柄変化演出当初での擬似連図柄からの図柄差と２回目の図柄変化演出当初での擬似連図柄からの図柄差とが同じになる。ただし、成功・失敗示唆演出の成功・失敗の表示結果は、同様ではなく、１回目が成功結果となり２回目（最終的な擬似連示唆演出）は失敗結果となる。また、同様の演出として、１回目の擬似連示唆演出で変化する演出図柄に乗っていたキャラクタを２回目の擬似連示唆演出では変化する演出図柄に乗ったまま表示させるとともに、新たにキャラクタを登場させ、登場したキャラクタがさらに変化する演出図柄に乗るようにすることで、擬似連示唆演出が繰返されるときに、演出内容が連動するようにしてもよい。このようにすれば、演出が連動することで遊技者の期待感を適度に盛り上げることができる。
【０２４７】
Ｓ６０３の処理において、擬似連再変動演出１回のみ実行後に擬似連示唆演出なしの場合（Ｓ６０３のＮ）には、擬似連再変動演出が１回のみ、かつ、当該擬似連再変動演出後の擬似連示唆演出なしで、最終的な擬似連再変動演出前の擬似連示唆演出で成功結果となるスーパーリーチＥ，Ｆの変動パターンに該当するので、演出制御用ＣＰＵ１０１は、図２０（ａ）に示す成功結果の場合の擬似連示唆演出決定テーブルを選択する（Ｓ６０８）。次いで、演出制御用ＣＰＵ１０１は、図柄変化示唆演出決定用乱数（ＳＲ２）を抽出し、その抽出値に基づいて、キャラクタ数を決定する（Ｓ６０９）。次いで、演出制御用ＣＰＵ１０１は、図柄変化演出決定用乱数（ＳＲ３）を抽出し、その抽出値に基づいて、図柄変化演出開始時での擬似連図柄からの図柄差（中図柄の図柄差）を決定する（Ｓ６１０）。次いで、演出制御用ＣＰＵ１０１は、擬似連再変動演出を１回のみ実行し、Ｓ６０９，Ｓ６１０で決定された内容により、擬似連再変動演出実行前の擬似連示唆演出を実行することに決定する（Ｓ６１１）。そして、処理を終了する。
【０２４８】
Ｓ６０２の処理において、擬似連再変動演出回数が１回でないと判定された場合（Ｓ６０２のＮ）には、図２２に示すように演出制御用ＣＰＵ１０１は、擬似連再変動演出回数（合計回数）は２回であるか否かを確認する（Ｓ６１８）。擬似連再変動演出回数が２回である場合（Ｓ６１８のＹ）、擬似連再変動演出が２回、かつ、１，２回目の擬似連再変動演出実行前の擬似連示唆演出ありで、最終的な２回目の擬似連示唆演出が成功結果となるスーパーリーチＩ，Ｊの変動パターンに該当するので、演出制御用ＣＰＵ１０１は、図２０（ａ）に示す成功結果の場合の擬似連示唆演出決定テーブルを選択する（Ｓ６１９）。次いで、演出制御用ＣＰＵ１０１は、図柄変化示唆演出決定用乱数（ＳＲ２）を抽出し、その抽出値に基づいて、キャラクタ数を決定する（Ｓ６２０）。次いで、演出制御用ＣＰＵ１０１は、図柄変化演出決定用乱数（ＳＲ３）を抽出し、その抽出値に基づいて、図柄変化演出開始時での擬似連図柄からの図柄差を決定する（Ｓ６２１）。次いで、演出制御用ＣＰＵ１０１は、擬似連再変動演出を２回実行し、Ｓ６１９，Ｓ６２０で決定された内容により１回目および２回目の擬似連示唆演出で同様の演出を実行することに決定する（Ｓ６２２）。そして、処理を終了する。
【０２４９】
ここで述べる同様の演出とは、擬似連示唆演出の中で行なわれる演出のことである。成功結果となるスーパーリーチＩ，Ｊでは、１回目の図柄変化示唆演出で表示されるキャラクタ数と２回目の図柄変化示唆演出で表示されるキャラクタ数とが同じになり、１回目の図柄変化演出当初での擬似連図柄からの図柄差と２回目の図柄変化演出当初での擬似連図柄からの図柄差とが同じになる。さらに、成功・失敗示唆演出の成功・失敗の表示結果も、１回目が成功結果となり２回目（最終的な擬似連示唆演出）も成功結果となるので、同様である。
【０２５０】
Ｓ６１８の処理において、擬似連再変動演出回数が２回でないと判定された場合（Ｓ６１８のＮ）には、消去法的に、擬似連再変動演出回数は３回であり、擬似連再変動演出が３回、かつ、１，２回目の擬似連再変動演出実行前の擬似連示唆演出ありで、最終的な２回目の擬似連示唆演出が成功結果となるスーパーリーチＫ，Ｌの変動パターンに該当するので、演出制御用ＣＰＵ１０１は、図２０（ａ）に示す成功結果の場合の擬似連示唆演出決定テーブルを選択する（Ｓ６２３）。次いで、演出制御用ＣＰＵ１０１は、図柄変化示唆演出決定用乱数（ＳＲ２）を抽出し、その抽出値に基づいて、キャラクタ数を決定する（Ｓ６２４）。次いで、演出制御用ＣＰＵ１０１は、図柄変化演出決定用乱数（ＳＲ３）を抽出し、その抽出値に基づいて、図柄変化演出開始時での擬似連図柄からの図柄差を決定する（Ｓ６２５）。次いで、演出制御用ＣＰＵ１０１は、擬似連再変動演出を３回実行し、Ｓ６１９，Ｓ６２０で決定された内容により１回目および２回目の擬似連示唆演出で同様の演出（１回目，２回目のキャラクタ数，擬似連図柄からの図柄差，成功結果が同様）を実行することに決定する（Ｓ６２６）。そして、処理を終了する。
【０２５１】
Ｓ６０７，Ｓ６２２，Ｓ６２６に示すように、１回目，２回目の擬似連示唆演出で行なわれる演出は、同様の演出である。つまり、１回目の擬似連演出実行後に擬似連示唆演出が再度実行される場合（２回目の擬似連示唆演出）は、再度の擬似連示唆演出の実行前に、前回と同様の図柄変化演出（１回目の図柄変化演出）で態様を変化させた所定の図柄に対して図柄変化演出が実行されるので、擬似連示唆演出の演出態様が前回（１回目）と今回（２回目）とで連動し、遊技者の大当り遊技状態への期待感を適切に盛り上げやすくすることができる。
【０２５２】
〔第２実施形態〕
次に、第２実施形態を説明する。第２実施形態では、図柄変化演出と擬似連再変動演出における再変動回数との関係の例について説明する。第１実施形態では、図９および図１０に示すように、擬似連再変動演出の回数は、遊技制御用マイクロコンピュータ５６０側において、変動パターンを決定するテーブルとランダム２，ランダム３とにより決定されていた。しかし、擬似連再変動演出回数を演出制御用マイクロコンピュータ１００側において決定するようにしてもよい。たとえば、ＲＯＭ１０２において、回数決定用のランダムカウンタの値と擬似連再変動演出回数との関係を記憶した擬似連再変動演出回数決定用のデータテーブルを記憶し、特定の演出制御コマンド（たとえば、所定のスーパーリーチを指定する変動パターンコマンド）を受信したときに、演出制御用マイクロコンピュータ１００が、回数決定用のランダムカウンタの値を抽出し、その抽出値に基づいて、当該データテーブルから擬似連再変動演出回数値を選択決定するようにしてもよい。
【０２５３】
このようにした場合には、図柄変化演出で変化した図柄の態様に応じて擬似連再変動演出が繰り返される回数の期待値が異なるようにし、図柄変化示唆演出の態様に応じて図柄変化演出で変化する図柄の態様が異なるようにデータテーブルを設定してもよい。たとえば、大当り信頼度の高い変動パターンの場合には、大当り信頼度の低い変動パターンと比べて、擬似連再変動演出の回数が多いものが選択される割合が高く、図柄変化演出で図柄差が小さいものが選択される割合が高いようにすればよい。さらに、大当り信頼度の高い変動パターンの場合には、大当り信頼度の低い変動パターンと比べて、図柄変化示唆演出でキャラクタ数が多いものが選択されるようにすればよい。
【０２５４】
このようにすれば、図柄変化演出で変化する図柄差数に応じて擬似連再変動演出が繰返される実行回数が異なり、図柄変化示唆演出で登場するキャラクタの数に応じて図柄変化演出における図柄差数が異なるので、登場するキャラクタの数に応じて図柄差数がどのような態様で変化するかということに遊技者が期待するようにすることができる等、第１実施形態で得られる効果と同様の効果を得ることができる。
【０２５５】
〔第３実施形態〕
次に、第３実施形態を説明する。第３実施形態では、非特定リーチ演出の演出例について説明する。上述したように非特定リーチ演出は、特定リーチ演出と比較すると大当り信頼度が低いが、ノーマルリーチと比較すると大当り信頼度が高いリーチ演出である。このような非特定リーチ演出としては、遊技者の期待感があまり下がり過ぎないようにするために、次のような復活演出を実行可能としてもよい。復活演出とは、キャラクタ同士が対決するようなバトル演出において、一旦は味方のキャラクタが敗れ「敗北」の文字が表示された後に、味方のキャラクタが立ち上がり、「復活」の文字が表示され、敵のキャラクタを倒し復活する演出のことである。また、復活演出と類似する演出として、「敗北」の文字の後に別のキャラクタが登場し、敵のキャラクタをやっつける救済演出もある。そして、非特定のリーチとなる場合には、特定のリーチとなる場合と比べて、復活演出・救済演出が実行される割合が高くなるように設定する。
【０２５６】
このようにすれば、非特定リーチ演出では、特定リーチ演出よりも復活系や救済系の演出の割合が高いので、一旦失いかけた大当り遊技状態への期待感が取戻されたような感覚を遊技者に与えやすいため、遊技者の期待感を適切に維持することができる。
【０２５７】
〔第４実施形態〕
次に、第４実施形態を説明する。第４実施形態では、成功結果・失敗結果示唆演出において実行される演出例について説明する。演出制御用マイクロコンピュータ１００は、成功結果・失敗結果示唆演出においては、所定の操作有効期間中に遊技者がスティックコントローラ１２２を操作することに応じて、成功結果・失敗結果のいずれかを示す演出を実行してもよい。具体的には、スティックコントローラ１２２が傾倒操作されたことにより傾倒方向センサユニット１２３から入力される操作検出信号に基づいてスティックコントローラ１２２が操作されたと判断するようにする。そして、当該判断がされたことを条件に成功結果・失敗結果を表示するようにする。なお、トリガボタン１２５が操作されたことによりトリガセンサ１２１から入力される操作検出信号に基づいてスティックコントローラ１２２が操作されたと判断するようにしてもよい。
【０２５８】
このようにすれば、成功結果・失敗結果示唆演出において遊技者の操作に応じて成功結果および失敗結果のいずれかが示されるので、遊技者の行為が遊技に反映されたように感じさせることが可能となり、遊技者の遊技への参加意欲を高めて、遊技の興趣を向上させることができる。
【０２５９】
なお、成功結果となる場合において、操作有効期間中に操作が行なわれたときには、操作が行なわれないときと比べて、遊技者にとって面白みがある演出が実行されることで、遊技者による操作を促進させることができ、遊技者の遊技への参加意欲を向上させることができるようにしてもよい。また、操作有効期間中にスティックコントローラ１２２が操作されないときでも、成功結果を表示するようにしてもよい。この場合は、操作有効期間中にスティックコントローラ１２２が操作されたときの方が、作有効期間中にスティックコントローラ１２２が操作されないときよりも、遊技者にとって有利と感じさせるような擬似連出目が選択される割合が高くなるようにしてもよい。
【０２６０】
〔第５実施形態〕
次に、第５実施形態を説明する。第５実施形態では、コマンド送信の例について説明する。前述の実施の形態においては、変動時間およびリーチ演出の種類や擬似連の有無等の変動態様を示す変動パターンを演出制御用マイクロコンピュータ１００に通知するために、変動を開始するときに１つの変動パターンコマンドを送信する例を示したが、２つ乃至それ以上のコマンドにより変動パターンを演出制御用マイクロコンピュータ１００に通知する様にしてもよい。具体的には、２つのコマンドにより通知する場合、遊技制御用マイクロコンピュータ５６０は、１つ目のコマンドでは擬似連の有無、滑り演出の有無等、リーチとなる以前（リーチとならない場合には所謂第２停止の前）の変動時間や変動態様を示す第１コマンドを送信し、２つ目のコマンドではリーチの種類や再抽選演出の有無等、リーチとなった以降（リーチとならない場合には所謂第２停止の後）の変動時間や変動態様を示す第２コマンドを送信する様にしてもよい。この場合に、演出制御用マイクロコンピュータ１００が、第１コマンドの種類に応じて、成功結果・失敗結果示唆演出の実行の有無および種類を決定するようにしてもよい。
【０２６１】
このようにすれば、図柄の変動開始からリーチ演出が実行されるまでの変動態様を示す第１コマンドと、リーチ演出の種類を指示する第２コマンドとの２種類のコマンドを演出制御用マイクロコンピュータ１００へ送信することに基づいて、成功結果・失敗結果示唆演出およびリーチ演出の種類を指示することができるので、コマンドの種類を大量に増やすことなく、示唆演出およびリーチ演出を含む演出を実行することができる。
【０２６２】
なお、上記のような場合、演出制御用マイクロコンピュータ１００は２つのコマンドの組合せから導かれる変動時間に基づいて変動表示における演出制御を行なうようにすればよい。また、遊技制御用マイクロコンピュータ５６０の方では２つのコマンドのそれぞれにより変動時間を通知し、それぞれのタイミングで実行される具体的な変動態様については演出制御用マイクロコンピュータ１００の方で選択を行なう様にしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信する様にしてもよい。なお、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。
【０２６３】
次に、前述した実施の形態により得られる主な効果を説明する。
（１）  図７，図８に示したように、擬似連再変動演出を実行するときに、図柄変化演出の実行を示唆する図柄変化示唆演出と、成功・失敗示唆演出が成功結果となることを示唆する図柄変化演出と、擬似連再変動演出の実行と非実行とのいずれかを示唆する成功・失敗示唆演出とが行なわれるので、擬似連再変動演出を実行する前に行なわれる成功・失敗示唆演出の実行中において遊技者の期待感を高めることができ、遊技の興趣を向上させることができる。
【０２６４】
（２）  図９，図１０に示したように、図柄変化演出当初における図柄差数に応じて成功結果となる割合が異なり、図２０に示すように、図柄変化示唆演出で登場するキャラクタ数に応じて成功結果となる割合が異なる等、図柄変化示唆演出の態様に応じて図柄変化演出におけるキャラクタ数が異なるので、図柄変化示唆演出の態様に応じて図柄変化演出における図柄差数がどのような態様で変化するかということに遊技者が期待するようにすることができる。
【０２６５】
（３）  第２実施形態に示したように、図柄変化演出で変化する図柄差数に応じて擬似連再変動演出が繰返される実行回数が異なり、図柄変化示唆演出で登場するキャラクタの数に応じて図柄変化演出における図柄差数が異なるので、登場するキャラクタの数に応じて図柄差数がどのような態様で変化するかということに遊技者が期待するようにすることができる。
【０２６６】
（４）  図８に示すように、所定の図柄に所定のキャラクタを付加することによって、図柄変化演出が実行されるので、図柄変化演出において所定の図柄を認識することが妨げられない態様で図柄変化演出をすることができる。なお、キャラクタを付加せず所定の図柄の色を変えるなどすることも考えられるが、そのようにすれば、遊技者がその図柄を確変図柄（確変大当りとなるときに表示結果として表示される図柄の組合せ）であるなどと誤解する可能性がある。よって、図柄自体はそのままで、所定のキャラクタを付加することで、図柄変化演出で変化する図柄であることを分かるようにしている。
【０２６７】
（５）  図２１，図２２に示すように擬似連再変動演出の実行後に成功・失敗示唆演出（擬似連示唆演出）が再度実行される場合には、当該再度の成功・失敗示唆演出（擬似連示唆演出）の実行前に、前回の図柄変化演出で態様を変化させた所定の図柄に対して図柄変化演出が実行されるので、成功・失敗示唆演出（擬似連示唆演出）の演出態様が前回と今回とで連動し、遊技者の大当り遊技状態への期待感を適切に盛り上げやすくすることができる。
【０２６８】
（６）  図７，図８に示すように、失敗結果を示す成功・失敗示唆演出が実行された場合、擬似連の演出程ではないが、大当りとなる期待度が高い演出としてのリーチ演出が行なわれるので、演出が失敗結果となることが示されても、遊技者の大当り遊技状態に対する期待感を持続させることができる。
【０２６９】
（７）  図９，図１０に示すように、擬似連示唆演出において、成功・失敗示唆演出が失敗結果となる場合には、遊技者は経験則上、その失敗結果の延長上に出現するリーチ演出が、あまり期待の持てるリーチ演出ではないという先入観がある。このような場合に、大当りの期待度が比較的高く設定された特定のスーパーリーチ演出（たとえばプレミアムリーチ演出）等の特定のリーチ演出を実行すると、当該特定リーチ演出が、本来的には遊技者の大当りへの期待感を高めるためのものであるにも関わらず、たいして大当りへの期待感が持てないリーチ演出であると遊技者に認識させてしまうおそれがある。よって、擬似連示唆演出において、失敗結果となる場合には、成功結果となる場合と比較して、特定リーチ演出に発展する割合を低く設定することで、特定リーチ演出のようなプレミアム感のあるリーチ演出への遊技者の期待感を損なわないようにすることができる。
【０２７０】
（８）  図９，図１０に示すように、擬似連再変動演出の実行後に実行された成功・失敗示唆演出（擬似連示唆演出）が失敗結果となってリーチ演出が実行される場合には、特定リーチ演出よりも大当り遊技状態となる割合の低い非特定リーチ演出となる割合が高くなるようにする制御が行なわれる。これにより、擬似連示唆演出が失敗結果となってリーチ演出が実行される場合においては、特定リーチ演出程ではないが、大当り遊技状態となる期待感を遊技者がある程度持てるような非特定リーチ演出が行なわれることにより、遊技者の大当り遊技状態に対する期待感を適切に盛り上げることができる。
【０２７１】
（９）  第３実施形態に示したように、非特定リーチ演出では、特定リーチ演出よりも復活系や救済系の演出の割合が高いので、一旦失いかけた大当り遊技状態への期待感が取戻されたような感覚を遊技者に与えやすいため、遊技者の期待感を適切に維持することができる。
【０２７２】
（１０）  図９，図１０のスーパーリーチＫ，Ｌのように、擬似連再変動演出を３回実行してリーチ演出に発展させる場合は、リーチ演出に発展させる前に擬似連示唆演出（成功・失敗示唆演出）が実行されないので、擬似連再変動演出の実行回数が多くなったことにより遊技状態に大きな期待感を持った遊技者の期待感を擬似連示唆演出により損ねないようにすることができる。
【０２７３】
（１１）  第４実施形態に示したように、成功結果・失敗結果示唆演出において遊技者の操作に応じて成功結果および失敗結果のいずれかが示されるので、遊技者の行為が遊技に反映されたように感じさせることが可能となり、遊技者の遊技への参加意欲を高めて、遊技の興趣を向上させることができる。
【０２７４】
（１２）  第５実施形態に示したように、図柄の変動開始からリーチ演出が実行されるまでの変動態様を示す第１コマンドと、リーチ演出の種類を指示する第２コマンドとの２種類のコマンドを演出制御用マイクロコンピュータ１００へ送信することに基づいて、成功結果・失敗結果示唆演出およびリーチ演出の種類を指示することができるので、コマンドの種類を大量に増やすことなく、示唆演出およびリーチ演出を含む演出を実行することができる。
【０２７５】
次に、以上に説明した実施の形態の変形例や特徴点等を以下に列挙する。
（１）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０２７６】
（２）  前述の実施の形態では、遊技制御用マイクロコンピュータ５６０は、演出制御用マイクロコンピュータ１００に対して直接コマンドを送信していたが、遊技制御用マイクロコンピュータ５６０が他の基板（たとえば、図３に示す音声出力基板７０やランプドライバ基板３５等、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、またはたとえば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行なうのと同様に、音声出力基板７０、ランプドライバ基板３５または音／ランプ基板から受信したコマンドに応じて表示制御を行なうことができる。このような構成の場合には、前述した実施の形態で演出制御用マイクロコンピュータ１００が行なっていた各種決定については、同様に演出制御用マイクロコンピュータ１００が行なうようにしてもよく、または、音声出力基板７０、ランプドライバ基板３５、または、音／ランプ基板に搭載したマイクロコンピュータ等の制御手段が行なうようにしてもよい。
【０２７７】
（３）  前述した実施の形態は、入賞球の検出に応答して所定数の賞球を払い出す払出式遊技機に限定されるものではなく、遊技球を封入し入賞球の検出に応答して得点を付与する封入式遊技機にも適用することができる。
【０２７８】
（４）  前述した実施の形態は、パチンコ遊技機１の動作をシミュレーションするゲーム機などの装置にも適用することができる。前述した実施の形態を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。そして、ゲームの実施形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行なうことによりゲームを実行するような形態とすることもできる。
【０２７９】
（５）  前述の実施形態では、大当り種別として、１５ラウンドの通常大当りと１５ラウンドの確変大当りとを設けた例を示した。しかし、これに限らず、たとえば、１５ラウンドの大当り、１０ラウンドの大当り、５ラウンドの大当り、および、２ラウンドの大当りを設ける場合のように、３種類以上のラウンド数の大当り種別を設けてもよい。その場合には、たとえば、大当りの種別を、賞球が得られやすい大当り種別グループ（たとえば、１５ラウンドの大当り、１０ラウンドの大当り）と、賞球が得られにくい大当り種別グループ（たとえば、５ラウンドの大当り、２ラウンドの大当り）とに分類し、第２特別図柄の方が第１特別図柄よりも、賞球が得られやすい大当り種別グループの大当り種別が選択される割合が高くなるように設定してもよい。
【０２８０】
（６）  前述の実施形態では、図柄変化示唆演出において、キャラクタの数によって擬似連示唆演出が成功結果となる割合が異なる例を示したが、キャラクタの色や形を変えるなど、キャラクタ自体が異なることにより、擬似連示唆演出が成功結果となる割合が異なるようにしてもよい。また、キャラクタの動作の種類により擬似連示唆演出が成功結果となる割合が異なるようにしてもよい。また、キャラクタ自体が異なること、または、キャラクタの動作の種類が異なることにより、擬似連再変動演出の回数が異なるようにしてもよい。
【０２８１】
（７）  前述の実施形態では、演出図柄にキャラクタが乗ることで、演出図柄が滑る演出が実行されていたが、キャラクタが演出図柄に錘を吊り下げることで、演出図柄が滑るようにしてもよい。
【０２８２】
（８）  前述の実施形態では、擬似連再変動演出において仮停止する演出図柄として、たとえば、「１」「３」「５」の奇数目、「３」「４」「５」の並び目のようにゾロ目ではないが特徴のある出目よりなる仮停止図柄が選択されるようにしてもよい。このような仮停止図柄を表示することにより、遊技者に擬似連再変動演出が実行されることをアピールすることができ、仮停止する際、および、または、再変動する際に擬似連再変動演出が実行されることをアピールすることができる。
【０２８３】
（９）  前述の実施形態において、１回の擬似連再変動演出の中で複数回の擬似連の再変動を実行するようにしてもよい。そして、大当りの場合には、１回の擬似連再変動演出の中で実行される擬似連の再変動の最大回数が多い変動パターンが選択される割合が高くなるようにしてもよい。言い換えると、１回の擬似連再変動演出の中で実行される擬似連の再変動の最大回数が多い演出が実行される場合は、大当り期待度の高い演出であるようにしてもよい。このようにすれば、遊技者に対し、１回の擬似連再変動演出の中で実行される擬似連の再変動の回数に興味を持たすことが可能となる。
【０２８４】
（１０）  前述の実施形態では、擬似連再変動演出の実行回数が多い演出ほど、大当り期待度を高く設定した例を説明した。しかし、擬似連再変動演出が１回だけ行なわれる演出であって、擬似連再変動演出の実行回数以外の演出の相違点（たとえば、１回の擬似連再変動演出の期間中に特別なキャラクタが表示された回数）により、大当り期待度が異なるようにしてもよい。
【０２８５】
（１１）  前述の実施形態において、成功・失敗示唆演出が実行される場合に、「成功率何パーセント」と表示するような演出を実行するようにしてもよい。具体的には、最終的な成功・失敗示唆演出の表示結果を予め確認し、成功結果となるときには失敗結果となるときよりも成功率が高い表示を選択する割合が高くなるように、成功率を示す複数種類の表示演出のうちからいずれかの表示演出を選択して実行すればよい。このような演出が実行されることで、演出が変化に富むとともに遊技者の期待を裏切らないようにすることができる。
【０２８６】
（１２）  前述の実施形態では、図柄変化演出において、擬似連出目から図柄差数が少ない演出図柄（たとえば、図柄差数１〜３）を当初表示し、当該図柄を基点として演出図柄を変化させる例を示したが、これに限らず、図柄変化演出において、擬似連出目とは近似しない演出図柄を当初表示し、当該図柄を基点（たとえば、図柄差数５以上等）として演出図柄を変化する演出を行なってもよい。
【０２８７】
（１３）  前述の実施形態おける図柄変化演出において、演出図柄の変化は演出図柄が滑るだけでなく、演出図柄の色が変化する、演出図柄の模様が変化する、演出図柄の大きさが変化する演出を含んでもよい。
【０２８８】
（１４）  前述の実施形態では、キャラクタが演出図柄に乗って演出図柄が変化するように、キャラクタが直接的に演出図柄の変化に作用する演出を実行する例を示したが、キャラクタが演出図柄に乗らず、演出図柄に近づいて演出図柄に非接触で演出図柄を変化させてもよい。このように、キャラクタが間接的に演出図柄の変化に作用する演出を含んでもよい。
【０２８９】
（１５）  前述の実施形態において、キャラクタが演出図柄に乗った後、図柄変化演出が開始される前に演出図柄からキャラクタが落ちた場合には、図柄変化演出が実行されると見せかけて実際には図柄変化演出が行なわれないようにしてもよい。
【０２９０】
（１６）  前述の実施形態では、図柄変化演出として、キャラクタが演出図柄を変化させる演出が行なわれる例を示したが、これに限らず、図柄変化演出としては、キャラクタを登場させずに、所定のメッセージが表示される等、何らかの報知がなされた後に、演出図柄が変化するものでもよい。
【０２９１】
（１７）  前述の実施形態の図柄変化演出については、キャラクタが途中で変化する演出を行なうことで、擬似連示唆演出の大当りへの期待度が変化するようにしてもよい。具体的には、図柄変化演出中において、キャラクタの数が増減すること、キャラクタの種類が変化することなどのキャラクタが途中で変化する演出により、期待度を変化させる（たとえば、途中でキャラクタ数が増加すれば期待度が上がり、途中でキャラクタ数が減少すれば期待度が下がる。また、途中でキャラクタが第１の種類から第２の種類に変化すれば期待度が上がり、途中でキャラクタ数が第２の種類から第１の種類に変化すれば期待度が下がる。）ようにすればよい。
【０２９２】
（１８）  前述の実施形態での図柄変化示唆演出において、キャラクタが登場する場合とキャラクタが登場しない場合（たとえば、キャラクタの影を示す画像のみが表示される場合等）とがあり、キャラクタが登場した場合の方が擬似連再変動演出が実行される期待度、ひいては大当り期待度が高くなるようにする制御を行なうようにしてもよい。
【０２９３】
（１９）  前述の実施形態において、図柄変化示唆演出は、図柄変化演出の直前よりも所定期間前に実行してもよい。具体的には、キャラクタが演出図柄に乗る手前の演出として、味方キャラクタと敵キャラクタがバトルを行ない、勝ったキャラクタが演出図柄に乗るようにしてもよい。このような場合には、味方キャラクタが勝った方が擬似連再変動演出が実行される期待度、ひいては大当り期待度を高くすればよい。
【０２９４】
（２０）  前述の実施形態において、擬似連再変動演出の期待度の大小がランク付けされた複数のキャラクタを同時に登場させ、レース演出等を行なって１位になったキャラクタが図柄に乗るようにしてもよい。
【０２９５】
（２１）  前述の実施形態において、図柄変化演出の実行中において、キャラクタが演出図柄に乗って演出図柄が変化するが、変化途中でキャラクタが演出図柄から落ちると擬似連再変動演出の期待度が小、落ちないと擬似連演出の期待度が大となる演出を行なってもよい。
【０２９６】
（２２）  前述の実施形態においては、擬似連示唆演出において、擬似連出目を明確にするために、擬似連出目を構成する演出図柄の表示態様（色、形状、模様等の表示態様）を、他の演出図柄の表示態様と異なる表示態様に変化させてもよい。
【０２９７】
（２３）  前述の実施形態では、擬似連示唆演出が複数回実行される場合には、１回目と２回目との擬似連示唆演出で同様の演出が実行されるように、同様の演出となるように、一度に選択決定し、それらの演出が１回目で決められた演出を２回目も引き継ぐものであった。しかし、擬似連示唆演出が複数回実行される場合には、キャラクタ数、図柄差を擬似連示唆演出の１回ごとに選択決定するようにしてもよい。
【０２９８】
（２４）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０２９９】
８ａ  第１特別図柄表示器、８ｂ  第２特別図柄表示器、９  演出表示装置、１  パチンコ遊技機、５６０  遊技制御用マイクロコンピュータ、１００  演出制御用マイクロコンピュータ、９４  キャラクタ。
【図１】
2014140425.tif 000003
【図２】
2014140425.tif 000004
【図３】
2014140425.tif 000005
【図４】
2014140425.tif 000006
【図５】
2014140425.tif 000007
【図６】
2014140425.tif 000008
【図７】
2014140425.tif 000009
【図８】
2014140425.tif 000010
【図９】
2014140425.tif 000011
【図１０】
2014140425.tif 000012
【図１１】
2014140425.tif 000013
【図１２】
2014140425.tif 000014
【図１３】
2014140425.tif 000015
【図１４】
2014140425.tif 000016
【図１５】
2014140425.tif 000017
【図１６】
2014140425.tif 000018
【図１７】
2014140425.tif 000019
【図１８】
2014140425.tif 000020
【図１９】
2014140425.tif 000021
【図２０】
2014140425.tif 000022
【図２１】
2014140425.tif 000023
【図２２】
2014140425.tif 000024
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の変動表示を実行し、表示結果を導出表示する変動表示部に特定表示結果が導出表示されたときに遊技者にとって有利な特定遊技状態に制御する遊技機であって、
前記特定遊技状態に制御するか否かを、前記識別情報の表示結果が導出表示される以前に決定する事前決定手段と、
前記事前決定手段の決定結果に基づいて前記識別情報の表示結果を導出表示する導出表示制御手段と、
前記識別情報の変動表示が開始されてから表示結果が導出表示されるまでに仮停止させた後に変動表示を再開させる特定演出を実行する特定演出実行手段と、
前記特定演出の実行を示唆する成功結果と前記特定演出の不実行を示唆する失敗結果とのいずれかの示唆演出を実行する示唆演出実行手段とを備え、
前記特定演出実行手段は、前記事前決定手段が前記特定遊技状態に制御すると決定したときには前記特定遊技状態に制御しないと決定したときよりも、前記識別情報の変動表示における前記特定演出の繰返し実行回数が多くなるように前記特定演出を実行し、
前記特定演出の実行後に実行された前記示唆演出が失敗結果となってリーチ演出が実行される場合には、前記特定演出の実行後に前記示唆演出が実行されることなくリーチ演出が実行される場合と比較して、特定リーチ演出に発展する割合が低い、遊技機。
【請求項２】
変動表示パターンを複数の変動表示パターンから決定する変動表示パターン決定手段と、
前記変動表示パターン決定手段が決定した変動表示パターンに基づいて前記識別情報の変動表示を実行する変動表示実行手段とをさらに備える、請求項１に記載の遊技機。
【手続補正２】
【補正対象書類名】明細書
【補正対象項目名】０００８
【補正方法】変更
【補正の内容】
【０００８】
（１）  各々を識別可能な複数種類の識別情報（特別図柄、演出図柄）の変動表示を実行し、表示結果を導出表示する変動表示部（第１，第２特別図柄表示器８ａ，８ｂ、演出表示装置９）に特定表示結果（大当り表示結果）が導出表示されたときに遊技者にとって有利な特定遊技状態（大当り遊技状態）に制御する遊技機（パチンコ遊技機１）であって、
前記特定遊技状態に制御するか否かを、前記識別情報の表示結果が導出表示される以前に決定する事前決定手段（遊技制御用マイクロコンピュータ５６０、図９のＳ６０，Ｓ７１）と、
前記事前決定手段の決定結果に基づいて前記識別情報の表示結果を導出表示する導出表示制御手段（遊技制御用マイクロコンピュータ５６０、図１２のＳ３０１〜Ｓ３０４、演出制御用マイクロコンピュータ１００、図１８のＳ８００〜Ｓ８０３）と、
前記識別情報の変動表示が開始されてから表示結果が導出表示されるまでに仮停止させた後に変動表示を再開させる特定演出（擬似連再変動演出）を実行する特定演出実行手段（演出制御用マイクロコンピュータ１００、図９のＳ６０，Ｓ７１）と、
前記特定演出の実行を示唆する成功結果（擬似連出目）と前記特定演出の不実行を示唆する失敗結果（リーチ目（リーチ図柄））とのいずれかの示唆演出（成功・失敗示唆演出）を実行する示唆演出実行手段（演出制御用マイクロコンピュータ１００、図１８のＳ８０１，Ｓ８０２、図１９のＳ５０７〜Ｓ５１１）とを備え、
前記特定演出実行手段は、前記事前決定手段が前記特定遊技状態に制御すると決定したときには前記特定遊技状態に制御しないと決定したときよりも、前記識別情報の変動表示における前記特定演出の繰返し実行回数が多くなるように前記特定演出を実行し（図１０に示す通常大当りおよび確変大当りのような大当りのときに選択されるスーパーリーチの方が、図９に示すはずれのときに選択されるスーパーリーチよりも、擬似連再変動演出の繰返し実行回数が多く選択される割合が高い）、
前記特定演出の実行後に実行された前記示唆演出が失敗結果となってリーチ演出が実行される場合（たとえば、図９および図１０のスーパーリーチＧ，Ｈ）には、前記特定演出の実行後に前記示唆演出が実行されることなくリーチ演出が実行される場合（たとえば、図９および図１０のスーパーリーチＥ，Ｆ）と比較して、特定リーチ演出に発展する割合が低い（たとえば、図９および図１０において、直前の擬似連示唆演出が失敗結果となって実行されるスーパーリーチＨは直前に擬似連示唆演出が行なわれずに実行されるスーパーリーチＦよりも選択割合が低く設定されている。）。
【手続補正３】
【補正対象書類名】明細書
【補正対象項目名】００１０
【補正方法】変更
【補正の内容】
【００１０】
（２）  前記（１）の遊技機において、変動表示パターンを複数の変動表示パターンから決定する変動表示パターン決定手段と、
前記変動表示パターン決定手段が決定した変動表示パターンに基づいて前記識別情報の変動表示を実行する変動表示実行手段とをさらに備える。
このような構成によれば、変動表示パターンが複数の変動表示パターンから決定され、決定された変動表示パターンに基づいて識別情報の変動表示が実行される。
（３）  前記（１）または（２）の遊技機において、前記特定リーチ演出は、前記特定演出の実行回数が多いほど出現する割合の高いリーチ演出であり（図１０での特定リーチ演出を実行するスーパーリーチの選択割合は、スーパーリーチＬ（擬似連再変動演出３回繰返し）＞スーパーリーチＪ（擬似連再変動演出２回繰返し）＞スーパーリーチＨ，Ｆ（擬似連再変動演出１回））、
前記特定演出の実行後に実行された前記示唆演出が失敗結果となってリーチ演出が実行される場合には、前記特定リーチ演出よりも前記特定遊技状態となる割合の低い非特定リーチ演出となる割合が高い（たとえば、図１０で失敗結果となるときの非特定リーチ演出を実行するスーパーリーチの選択割合は、スーパーリーチＧ（非特定リーチ）＞スーパーリーチＨ（特定リーチ））。
【手続補正４】
【補正対象書類名】明細書
【補正対象項目名】００１１
【補正方法】変更
【補正の内容】
【００１１】
このような構成によれば、特定演出の実行後に実行された示唆演出が失敗結果となってリーチ演出が実行される場合には、特定リーチ演出よりも特定遊技状態となる割合の低い非特定リーチ演出となる割合が高いので、特定リーチ演出程ではないが、特定遊技状態となる期待感を遊技者がある程度持てる演出が行なわれることにより、遊技者の特定遊技状態に対する期待感を適切に盛り上げることができる。
（４）  前記（１）〜（３）のいずれかの遊技機において、前記非特定リーチ演出は、前記特定リーチ演出と比較して、前記特定遊技状態にならないことを示す表示態様を一旦表示した後に当該表示態様を前記特定遊技状態になることを示す表示態様に変化させる演出が実行される割合が高い（非特定リーチ演出では、バトル演出において、一旦は味方のキャラクタが敗れ「敗北」の文字が表示された後に、敵のキャラクタを倒す復活演出が選択される割合が高い）。
【手続補正５】
【補正対象書類名】明細書
【補正対象項目名】００１３
【補正方法】変更
【補正の内容】
【００１３】
（５）  前記（１）〜（４）のいずれかの遊技機において、前記特定演出実行手段は、前記特定演出を特定回数以上（たとえば、３回以上）実行してリーチ演出に発展させる場合は、当該リーチ演出に発展させる前に前記示唆演出を実行しない（図９および図１０のスーパーリーチＫ，Ｌは、リーチ演出前に擬似連示唆演出が実行されない。）。
【手続補正６】
【補正対象書類名】明細書
【補正対象項目名】００１５
【補正方法】変更
【補正の内容】
【００１５】
（６）  前記（１）〜（５）のいずれかの遊技機において、前記示唆演出実行手段は、前記示唆演出において遊技者の操作に応じて前記成功結果および前記失敗結果のいずれかを示す（スティックコントローラ１２２を操作することに応じて、成功結果・失敗結果のいずれかを示すようにする）。
【手続補正７】
【補正対象書類名】明細書
【補正対象項目名】００１７
【補正方法】変更
【補正の内容】
【００１７】
（７）  前記（１）〜（６）のいずれかの遊技機において、前記事前決定手段を含み、遊技状態を制御する遊技制御手段（遊技制御用マイクロコンピュータ５６０）を備え、
前記遊技制御手段は、前記識別情報の変動開始時に変動表示パターンを特定するためのコマンド（演出制御コマンド）として、前記識別情報の変動開始からリーチ演出が実行されるまでの変動態様を示す第１コマンドとリーチ演出の種類を指示する第２コマンドとを前記示唆演出実行手段へ送信し（演出制御用マイクロコンピュータ１００へ送信）、
前記示唆演出実行手段は、前記第１コマンドの種類に応じて、前記示唆演出の実行の有無または種類を決定する（第１コマンドの種類に応じて、成功結果・失敗結果示唆演出の実行の有無および種類を決定する）。